(57)【要約】【課題】受信端末に関わらず簡単かつ円滑に共有情報を利用できるようにする。【解決手段】同一ユーザであれば、受信端末に共通のユニバーサルＩＤを予め設定しておき、ログインの際に入力されるログインＩＤ及びパスワードが異なっても、情報管理センタ２のサービス受付サーバは、このユニバーサルＩＤによってユーザを特定し、各種サービスを提供する。これによって、例えば、携帯電話機４ａを用いて要求し登録したサービスを、放送受信装置４ｂを用いて読み出して利用することができる。また、受信端末毎にフィルタルールを設定しておくことによって、例えば、視聴場所や一緒に視聴する者によって、視聴内容を変更することができる。【選択図】図１
2006228071.tif 000002
【特許請求の範囲】
【請求項１】
第１の情報を第１の情報伝達経路を介して供給する第１の情報供給装置と、前記第１の情報に関連する第２の情報を第２の情報伝達経路を介して供給する第２の情報供給装置と、前記第１の情報を前記第１の情報伝達経路を介して受信し、前記第２の情報を前記第２の情報伝達経路を介して受信する情報受給端末とを備えた情報供給システムであって、
前記情報受給端末から利用者の本人確認情報を受信し、受信した前記本人確認情報に基づいて、前記利用者の本人認証を行う本人認証手段と、複数の又は複数組の前記本人確認情報に共通し、前記利用者を一意的に識別するために設定された共通本人識別情報が、前記本人確認情報に対応付けられて記憶された認証情報記憶手段とを備え、
前記第２の情報供給装置は、前記第２の情報が前記共通本人識別情報に対応付けられて記憶された供給情報記憶手段を有し、
前記本人認証手段は、前記情報受給端末から、前記本人確認情報を受信すると、受信した前記本人確認情報に基づいて、前記利用者の本人認証を行い、本人の認証がなされると、前記認証情報記憶手段に記憶され、前記本人確認情報に対応した前記共通本人識別情報を発行し、
前記第２の情報供給手段は、前記情報受給端末から、前記第２の情報の供給を要求する情報提示要求を受信すると、前記本人認証手段から発行された前記共通本人識別情報に対応した前記第２の情報を、前記供給情報記憶手段から読み出して、前記情報受給端末へ送信する
ことを特徴とする情報供給システム。
【請求項２】
前記情報受給端末から前記利用者の前記本人確認情報を受信し、前記情報受給端末による前記第２の情報供給装置からの前記第２の情報の受給を可能とするための受付処理を行う受付処理手段を備え、
前記受付処理手段は、前記情報受給端末から、前記本人確認情報とログイン要求とを受信すると、前記本人確認情報と本人認証要求とを、前記本人認証手段へ送信し、
前記本人認証手段は、前記受付処理手段から前記本人確認情報と前記本人認証要求とを受信すると、受信した前記本人確認情報に基づいて、前記利用者の本人認証を行い、本人の認証がなされると、前記認証情報記憶手段に記憶され、前記本人確認情報に対応した前記共通本人識別情報を発行して、前記受付処理手段へ送信し、
前記受付処理手段は、前記情報受給端末から、前記第２の情報の供給を要求する情報提示要求を受信すると、前記本人認証手段から受信した前記共通本人識別情報と、前記第２の情報の供給を要求する情報提示要求とを、前記第２の情報供給手段へ送信し、
前記第２の情報供給手段は、前記受付処理手段から、前記共通本人識別情報と前記情報提示要求とを受信すると、前記共通本人識別情報に対応した前記第２の情報を、前記供給情報記憶手段から読み出して、前記受付処理手段を介して、前記情報受給端末へ送信する
ことを特徴とする請求項１記載の情報供給システム。
【請求項３】
前記認証情報記憶手段には、前記本人確認情報としてのログイン識別情報及びパスワードの組合せに対応付けられて、前記共通本人識別情報が記憶され、
前記受付処理手段は、前記情報受給端末から、前記本人確認情報として１組の前記ログイン識別情報及び前記パスワードを受信して、前記本人認証手段へ送信し、
前記本人認証手段は、前記受付処理手段から受信した前記ログイン識別情報と前記パスワードとを照合して、前記利用者の本人認証を行い、本人の認証がなされると、前記認証情報記憶手段に記憶され、前記ログイン識別情報及び前記パスワードに対応した前記共通本人識別情報を発行する
ことを特徴とする請求項２記載の情報供給システム。
【請求項４】
同一の前記利用者が用いる複数の前記情報受給端末を備え、前記本人確認情報は、前記情報受給端末毎、前記利用者毎、又は前記第２の情報を視聴する視聴者グループ毎に設定されていることを特徴とする請求項１、２又は３記載の情報供給システム。
【請求項５】
前記共通本人識別情報は、前記利用者毎、又は前記第２の情報を視聴する視聴者グループ毎に設定されていることを特徴とする請求項１乃至４のいずれか１に記載の情報供給システム。
【請求項６】
前記受付処理手段は、前記情報受給端末から、前記本人確認情報と前記ログイン要求とを受信すると、前記本人確認情報と本人認証要求とを、前記本人認証手段へ送信し、
前記本人認証手段は、前記受付処理手段から前記本人確認情報と前記本人認証要求とを受信すると、受信した前記本人確認情報に基づいて、前記利用者の本人認証を行い、本人の認証がなされると、前記認証情報記憶手段に記憶され、前記本人確認情報に対応した前記共通本人識別情報を発行して、前記受付処理手段へ送信し、
前記受付処理手段は、前記情報受給端末から、前記第２の情報の登録を要求する情報登録要求を受けると、前記本人認証手段から受信した前記共通本人識別情報と、前記第２の情報の登録を要求する情報登録要求とを、前記第２の情報供給手段へ送信し、
前記第２の情報供給手段は、前記第２の情報を、前記共通本人識別情報に対応付けて供給情報記憶手段に記憶させる
ことを特徴とする請求項２乃至５のいずれか１に記載の情報供給システム。
【請求項７】
前記供給情報記憶手段に蓄積され、前記情報受給端末へ供給される前記第２の情報を前記第２の情報供給装置へ送信する配信元端末を備えたことを特徴とする請求項１乃至６のいずれか１に記載の情報供給システム。
【請求項８】
前記情報受給端末は、前記第１の情報供給装置から送信され、前記第１の情報に含まれた前記第２の情報を、前記第１の情報伝達経路を介して受信し、前記第２の情報を抽出して、前記受付処理手段へ、前記第２の情報情報と共に前記情報登録要求を送信することを特徴とする請求項６記載の情報供給システム。
【請求項９】
所定の情報供給可否判定規則に従って、前記情報受給端末に対する前記第２の情報の供給の可否を判定する供給可否判定手段と、前記情報供給可否判定規則が記憶された判定規則記憶手段とを備えたことを特徴とする請求項１乃至８のいずれか１に記載の情報供給システム。
【請求項１０】
前記第２の情報供給装置による前記情報受給端末に対する前記第２の情報の供給の可否を判定するための前記情報供給可否判定規則を生成して管理する判定規則生成管理手段を備えたことを特徴とする請求項９記載の情報供給システム。
【請求項１１】
前記第２の情報は、それぞれ所定の前記情報供給可否判定規則が対応付けられて、前記供給情報記憶手段に記憶されていることを特徴とする請求項９又は１０記載の情報供給システム。
【請求項１２】
前記情報供給可否判定規則は、前記共通本人識別情報又は前記本人確認情報と、前記第２の情報を受給する際の情報受給条件情報とに基づいて生成されることを特徴とする請求項９、１０又は１１記載の情報供給システム。
【請求項１３】
前記利用者の氏名と、性別、年齢、住所又は地域、家族構成、趣味、嗜好、既婚／未婚別、職業、及び国籍のうち少なくとも１つを含む付加情報とからなる利用者情報を記憶した利用者情報記憶手段を備え、
前記情報供給可否判定規則は、前記利用者情報に基づいて生成されることを特徴とする請求項９乃至１２のいずれか１に記載の情報供給システム。
【請求項１４】
前記情報供給可否判定規則は、前記情報受給端末から送信され、前記情報供給可否判定規則の設定又は変更を要求するための規則生成要求情報に基づいて生成されることを特徴とする請求項９、１０又は１１記載の情報供給システム。
【請求項１５】
前記情報受給端末は、前記受付処理手段に対しては、ログイン要求を送信する際に、ログイン情報として前記本人確認情報のほかに、前記情報受給端末の端末属性情報を送信することを特徴とする請求項９乃至１４のいずれか１に記載の情報供給システム。
【請求項１６】
前記情報受給端末として、対応する前記共通本人識別情報が同一である第１の情報受給端末及び第２の情報受給端末を備え、
前記受付処理手段は、前記第１の情報受給端末から、前記ログイン要求がなされた後に、前記情報登録要求を受けると、前記ログイン情報に含まれ、前記本人確認情報に対応する前記共通本人識別情報と、前記端末属性情報とを、前記第２の情報供給手段及び前記判定規則生成管理手段へ送信し、前記判定規則生成管理手段は、前記共通本人識別情報及び前記端末属性情報に対応させて所定の前記情報供給可否判定規則を設定し、前記供給情報記憶手段には、前記共通本人識別情報及び前記端末属性情報に対応付けられて、所定の前記第２の情報が記憶され、
前記受付処理手段は、前記第２の情報受給端末から、ログイン要求がなされた後に、前記情報提示要求を受けると、前記第２の情報受給端末から送信されたログイン情報に含まれた本人確認情報に対応する前記共通本人識別情報と、端末属性情報とを、前記第２の情報供給手段又は／及び前記供給可否判定手段へ送信し、前記供給可否判定手段は、前記共通本人識別情報及び前記第２の情報受給端末の前記端末属性情報を、前記情報供給可否判定規則と照合し、前記供給情報記憶手段から、前記情報供給可否判定規則に適合する前記第２の情報を抽出し、前記第２の情報受給端末へ送信する
ことを特徴とする請求項１５記載の情報供給システム。
【請求項１７】
前記利用者による指定がない場合又は無効である場合に用いられ、前記利用者情報に基づいて設定されたデフォルト情報としての前記端末属性情報を記憶するデフォルト情報記憶手段を備えたことを特徴とする請求項１５又は１６記載の情報供給システム。
【請求項１８】
前記デフォルト情報としての前記端末属性情報は、前記情報受給端末から送信され、前記デフォルト情報としての前記端末属性情報情報の設定又は変更を要求するためのデフォルト情報設定要求情報に基づいて生成されることを特徴とする請求項１７記載の情報供給システム。
【請求項１９】
前記情報受給条件情報及び前記端末属性情報は、前記第２の情報を受給する際の前記第２の情報を視聴する視聴者グループと、前記情報受給端末の端末識別情報及び端末種別とのうち、少なくとも１つを含むことを特徴とする請求項１５乃至１８のいずれか１に記載の情報供給システム。
【請求項２０】
前記配信元端末から送信されて前記供給情報記憶手段に蓄積された前記第２の情報に対応した前記情報供給可否判定規則には、前記情報受給端末を特定するための前記利用者情報に基づいて設定された付加条件が含まれていることを特徴とする請求項１３乃至１９のいずれか１に記載の情報供給システム。
【請求項２１】
前記情報供給可否判定規則は、前記情報受給端末の使用場所又は使用時間に応じて設定されていることを特徴とする請求項１１乃至２０のいずれか１に記載の情報供給システム。
【請求項２２】
第１の情報を第１の情報伝達経路を介して供給する第１の情報供給装置と、前記第１の情報に関連する第２の情報を第２の情報伝達経路を介して供給する第２の情報供給装置と、前記第１の情報を前記第１の情報伝達経路を介して受信し、前記第２の情報を前記第２の情報伝達経路を介して受信する情報受給端末とを備えた情報供給システムであって、
前記情報受給端末から利用者の本人確認情報を受信し、受信した前記本人確認情報に基づいて、前記利用者の本人認証を行う本人認証手段と、所定の情報供給可否判定規則に従って、前記情報受給端末に対する前記第２の情報の供給の可否を判定する供給可否判定手段と、前記情報供給可否判定規則が記憶された判定規則記憶手段とを備え、
前記第２の情報供給装置は、前記第２の情報が前記本人確認情報に対応付けられて記憶された供給情報記憶手段を有し、
前記本人認証手段は、前記情報受給端末から、前記本人確認情報を受信すると、受信した前記本人確認情報に基づいて、前記利用者の本人認証を行い、
前記本人認証手段によって本人の認証がなされた状態で、前記第２の情報供給手段が、前記情報受給端末から、前記第２の情報の供給を要求する情報提示要求を受信すると、前記供給可否判定手段が、前記供給情報記憶手段から、前記本人確認情報に対応し、かつ、前記判定規則記憶手段に記憶された前記情報供給可否判定規則に適合する前記第２の情報を抽出し、前記情報受給端末へ送信する
ことを特徴とする情報供給システム。
【請求項２３】
請求項１乃至２２のいずれか１に記載の情報供給システムを構成する情報処理装置であって、
前記第２の情報供給装置と、前記本人認証手段と、前記認証情報記憶手段と、前記受付処理手段と、前記判定規則生成管理手段と、前記供給可否判定手段と、前記判定規則記憶手段とのうち、少なくとも１つを備えたことを特徴とする情報処理装置。
【請求項２４】
第１の情報供給装置によって、第１の情報を第１の情報伝達経路を介して供給し、第２の情報供給装置によって、前記第１の情報に関連する第２の情報を第２の情報伝達経路を介して供給し、情報受給端末によって、前記第１の情報を前記第１の情報伝達経路を介して受信し、前記第２の情報を前記第２の情報伝達経路を介して受信する情報供給方法であって、
本人認証手段によって、前記情報受給端末から利用者の本人確認情報を受信し、受信した前記本人確認情報に基づいて、前記利用者の本人認証を行い、
認証情報記憶手段によって、複数の又は複数組の前記本人確認情報に共通し、前記利用者を一意的に識別するために設定された共通本人識別情報を、前記本人確認情報に対応付けて記憶し、
前記第２の情報供給装置は、前記第２の情報が前記共通本人識別情報に対応付けられて記憶された供給情報記憶手段を有し、
前記本人認証手段は、前記情報受給端末から、前記本人確認情報を受信すると、受信した前記本人確認情報に基づいて、前記利用者の本人認証を行い、本人の認証がなされると、前記認証情報記憶手段に記憶され、前記本人確認情報に対応した前記共通本人識別情報を発行し、
前記第２の情報供給手段は、前記情報受給端末から、前記第２の情報の供給を要求する情報提示要求を受信すると、前記本人認証手段から発行された前記共通本人識別情報に対応した前記第２の情報を、前記供給情報記憶手段から読み出して、前記情報受給端末へ送信する
ことを特徴とする情報供給方法。
【請求項２５】
受付処理手段によって、前記情報受給端末から前記利用者の前記本人確認情報を受信し、前記情報受給端末による前記第２の情報供給装置からの前記第２の情報の受給を可能とするための受付処理を行い
前記受付処理手段は、前記情報受給端末から、前記本人確認情報とログイン要求とを受信すると、前記本人確認情報と本人認証要求とを、前記本人認証手段へ送信し、
前記本人認証手段は、前記受付処理手段から前記本人確認情報と前記本人認証要求とを受信すると、受信した前記本人確認情報に基づいて、前記利用者の本人認証を行い、本人の認証がなされると、前記認証情報記憶手段に記憶され、前記本人確認情報に対応した前記共通本人識別情報を発行して、前記受付処理手段へ送信し、
前記受付処理手段は、前記情報受給端末から、前記第２の情報の供給を要求する情報提示要求を受信すると、前記本人認証手段から受信した前記共通本人識別情報と、前記第２の情報の供給を要求する情報提示要求とを、前記第２の情報供給手段へ送信し、
前記第２の情報供給手段は、前記受付処理手段から、前記共通本人識別情報と前記情報提示要求とを受信すると、前記共通本人識別情報に対応した前記第２の情報を、前記供給情報記憶手段から読み出して、前記受付処理手段を介して、前記情報受給端末へ送信する
ことを特徴とする請求項２４記載の情報供給方法。
【請求項２６】
前記認証情報記憶手段には、前記本人確認情報としてのログイン識別情報及びパスワードの組合せに対応付けられて、前記共通本人識別情報が記憶され、
前記受付処理手段は、前記情報受給端末から、前記本人確認情報として１組の前記ログイン識別情報及び前記パスワードを受信して、前記本人認証手段へ送信し、
前記本人認証手段は、前記受付処理手段から受信した前記ログイン識別情報と前記パスワードとを照合して、前記利用者の本人認証を行い、本人の認証がなされると、前記認証情報記憶手段に記憶され、前記ログイン識別情報及び前記パスワードに対応した前記共通本人識別情報を発行する
ことを特徴とする請求項２５記載の情報供給方法。
【請求項２７】
同一の前記利用者によって複数の前記情報受給端末が用いられ、前記本人確認情報は、前記情報受給端末毎、前記利用者毎、又は前記第２の情報を視聴する視聴者グループ毎に設定されていることを特徴とする請求項２４、２５又は２６記載の情報供給方法。
【請求項２８】
前記共通本人識別情報は、前記利用者毎、又は前記第２の情報を視聴する視聴者グループ毎に設定されていることを特徴とする請求項２４乃至２７のいずれか１に記載の情報供給方法。
【請求項２９】
前記受付処理手段は、前記情報受給端末から、前記本人確認情報と前記ログイン要求とを受信すると、前記本人確認情報と本人認証要求とを、前記本人認証手段へ送信し、
前記本人認証手段は、前記受付処理手段から前記本人確認情報と前記本人認証要求とを受信すると、受信した前記本人確認情報に基づいて、前記利用者の本人認証を行い、本人の認証がなされると、前記認証情報記憶手段に記憶され、前記本人確認情報に対応した前記共通本人識別情報を発行して、前記受付処理手段へ送信し、
前記受付処理手段は、前記情報受給端末から、前記第２の情報の登録を要求する情報登録要求を受けると、前記本人認証手段から受信した前記共通本人識別情報と、前記第２の情報の登録を要求する情報登録要求とを、前記第２の情報供給手段へ送信し、
前記第２の情報供給手段は、前記第２の情報を、前記共通本人識別情報に対応付けて供給情報記憶手段に記憶させる
ことを特徴とする請求項２５乃至２８のいずれか１に記載の情報供給方法。
【請求項３０】
配信元端末によって、前記供給情報記憶手段に蓄積され、前記情報受給端末へ供給される前記第２の情報を前記第２の情報供給装置へ送信することを特徴とする請求項２４乃至２９のいずれか１に記載の情報供給方法。
【請求項３１】
前記情報受給端末は、前記第１の情報供給装置から送信され、前記第１の情報に含まれた前記第２の情報を、前記第１の情報伝達経路を介して受信し、前記第２の情報を抽出して、前記受付処理手段へ、前記第２の情報情報と共に前記情報登録要求を送信することを特徴とする請求項２９記載の情報供給方法。
【請求項３２】
供給可否判定手段によって、所定の情報供給可否判定規則に従って、前記情報受給端末に対する前記第２の情報の供給の可否を判定し、判定規則記憶手段によって、前記情報供給可否判定規則を記憶することを特徴とする請求項２４乃至３１のいずれか１に記載の情報供給方法。
【請求項３３】
判定規則生成管理手段によって、前記第２の情報供給装置による前記情報受給端末に対する前記第２の情報の供給の可否を判定するための前記情報供給可否判定規則を生成して管理することを特徴とする請求項３２記載の情報供給方法。
【請求項３４】
前記第２の情報は、それぞれ所定の前記情報供給可否判定規則が対応付けられて、前記供給情報記憶手段に記憶されていることを特徴とする請求項３２又は３３記載の情報供給方法。
【請求項３５】
前記情報供給可否判定規則は、前記共通本人識別情報又は前記本人確認情報と、前記第２の情報を受給する際の情報受給条件情報とに基づいて生成されることを特徴とする請求項３２、３３又は３４記載の情報供給方法。
【請求項３６】
利用者情報記憶手段によって、前記利用者の氏名と、性別、年齢、住所又は地域、家族構成、趣味、嗜好、既婚／未婚別、職業、及び国籍のうち少なくとも１つを含む付加情報とからなる利用者情報を記憶し、
前記情報供給可否判定規則は、前記利用者情報に基づいて生成されることを特徴とする請求項３２乃至３５のいずれか１に記載の情報供給方法。
【請求項３７】
前記情報供給可否判定規則は、前記情報受給端末から送信され、前記情報供給可否判定規則の設定又は変更を要求するための規則生成要求情報に基づいて生成されることを特徴とする請求項３２、３３又は３４記載の情報供給方法。
【請求項３８】
前記情報受給端末は、前記受付処理手段に対しては、ログイン要求を送信する際に、ログイン情報として前記本人確認情報のほかに、前記情報受給端末の端末属性情報を送信することを特徴とする請求項３３乃至３７のいずれか１に記載の情報供給方法。
【請求項３９】
対応する前記共通本人識別情報が同一である前記情報受給端末としての第１の情報受給端末及び第２の情報受給端末によって、前記第１の情報を前記第１の情報伝達経路を介して受信し、前記第２の情報を前記第２の情報伝達経路を介して受信し、
前記受付処理手段は、前記第１の情報受給端末から、前記ログイン要求がなされた後に、前記情報登録要求を受けると、前記ログイン情報に含まれ、前記本人確認情報に対応する前記共通本人識別情報と、前記端末属性情報とを、前記第２の情報供給手段及び前記判定規則生成管理手段へ送信し、前記判定規則生成管理手段は、前記共通本人識別情報及び前記端末属性情報に対応させて所定の前記情報供給可否判定規則を設定し、前記供給情報記憶手段には、前記共通本人識別情報及び前記端末属性情報に対応付けられて、所定の前記第２の情報が記憶され、
前記受付処理手段は、前記第２の情報受給端末から、ログイン要求がなされた後に、前記情報提示要求を受けると、前記第２の情報受給端末から送信されたログイン情報に含まれた本人確認情報に対応する前記共通本人識別情報と、端末属性情報とを、前記第２の情報供給手段又は／及び前記供給可否判定手段へ送信し、前記供給可否判定手段は、前記共通本人識別情報及び前記第２の情報受給端末の前記端末属性情報を、前記情報供給可否判定規則と照合し、前記供給情報記憶手段から、前記情報供給可否判定規則に適合する前記第２の情報を抽出し、前記第２の情報受給端末へ送信する
ことを特徴とする請求項３８記載の情報供給方法。
【請求項４０】
デフォルト情報記憶手段によって、前記利用者による指定がない場合又は無効である場合に用いられ、前記利用者情報に基づいて設定されたデフォルト情報としての前記端末属性情報を記憶することを特徴とする請求項３８又は３９記載の情報供給方法。
【請求項４１】
前記デフォルト情報としての前記端末属性情報は、前記情報受給端末から送信され、前記デフォルト情報としての前記端末属性情報情報の設定又は変更を要求するためのデフォルト情報設定要求情報に基づいて生成されることを特徴とする請求項４０記載の情報供給方法。
【請求項４２】
前記情報受給条件情報及び前記端末属性情報は、前記第２の情報を受給する際の前記第２の情報を視聴する視聴者グループと、前記情報受給端末の端末識別情報及び端末種別とのうち、少なくとも１つを含むことを特徴とする請求項３８乃至４１のいずれか１に記載の情報供給方法。
【請求項４３】
前記配信元端末から送信されて前記供給情報記憶手段に蓄積された前記第２の情報に対応した前記情報供給可否判定規則には、前記情報受給端末を特定するための前記利用者情報に基づいて設定された付加条件が含まれていることを特徴とする請求項３６乃至４２のいずれか１に記載の情報供給方法。
【請求項４４】
前記情報供給可否判定規則は、前記情報受給端末の使用場所又は使用時間に応じて設定されていることを特徴とする請求項３４乃至４３のいずれか１に記載の情報供給方法。
【請求項４５】
第１の情報供給装置によって、第１の情報を第１の情報伝達経路を介して供給し、第２の情報供給装置によって、前記第１の情報に関連する第２の情報を第２の情報伝達経路を介して供給し、情報受給端末によって、前記第１の情第１の情報供給装置報を前記第１の情報伝達経路を介して受信し、前記第２の情報を前記第２の情報伝達経路を介して受信する情報供給方法であって、
本人認証手段によって、前記情報受給端末から利用者の本人確認情報を受信し、受信した前記本人確認情報に基づいて、前記利用者の本人認証を行い、供給可否判定手段によって、所定の情報供給可否判定規則に従って、前記情報受給端末に対する前記第２の情報の供給の可否を判定し、判定規則記憶手段によって、前記情報供給可否判定規則を記憶し、
前記第２の情報供給装置は、前記第２の情報が前記本人確認情報に対応付けられて記憶された供給情報記憶手段を有し、
前記本人認証手段は、前記情報受給端末から、前記本人確認情報を受信すると、受信した前記本人確認情報に基づいて、前記利用者の本人認証を行い、
前記本人認証手段によって本人の認証がなされた状態で、前記第２の情報供給手段が、前記情報受給端末から、前記第２の情報の供給を要求する情報提示要求を受信すると、前記供給可否判定手段が、前記供給情報記憶手段から、前記本人確認情報に対応し、かつ、前記判定規則記憶手段に記憶された前記情報供給可否判定規則に適合する前記第２の情報を抽出し、前記情報受給端末へ送信する
ことを特徴とする情報供給方法。
【請求項４６】
コンピュータに請求項２４乃至４５のうちいずれか１に記載の情報供給方法を実行させることを特徴とする制御プログラム。
【発明の詳細な説明】
【技術分野】
【０００１】
この発明は、情報供給システム、情報処理装置、情報供給方法及び制御プログラムに係り、例えば、同一のユーザが用い、地上波デジタル放送の受信が可能な携帯電話機や放送受信装置等の複数の受信端末の間で、ブックマーク情報等の情報を共有するための情報供給システム、情報処理装置、情報供給方法及び制御プログラムに関する。
【背景技術】
【０００２】
近年、携帯電話機等をインターネットに接続して、電子メールの送受信を行ったり、Ｗｅｂページを閲覧したり、サイトからプログラムをダウンロードする等の通信機能を活用することが広く行われてきている。
例えば、携帯電話機等を介してインターネットに接続して、広告媒体等で告知され、興味を引くサイトにすぐにアクセスしようとした場合や、頻繁にアクセスしたいＷｅｂページを見つけた場合に、そのＵＲＬ（Uniform Resource Locator）を登録しておくブックマークサービスを利用することによって、長いＵＲＬの文字列をテンキーで入力したり、操作メニューを深い階層までたどるといった煩雑な操作を要することなく、所望のサイトにすぐにアクセスすることができる（例えば、特許文献１等参照。）。
【０００３】
ところで、既に３大都市圏（東京、名古屋、大阪）では、地上波デジタル放送が開始され、従来のアナログ放送に比べて高画質、高品質で、双方向番組やデータ放送、電子番組表等の多彩なサービスの提供が実現されている。
この地上波デジタル放送では、通常の放送受信装置（固定ＴＶ受信機）や、録画が可能な放送受信・記録装置のほかに、携帯電話機でも受信可能となるようなサービスが予定され、さらに、地上波デジタル放送の視聴機能及び録画機能を実現したパーソナルコンピュータも製品化されている。
これらの放送受信装置や、携帯電話機、パーソナルコンピュータ等の受信端末は、地上波デジタル放送を受信するだけでなく、従来の電話回線のほか、ＡＤＳＬやＦＴＴＨ等を用いたネットワークを介して、放送局サーバ等からデータ放送コンテンツや番組関連コンテンツ、その他の所望の情報を取得したり、放送局サーバ等に情報をアップロードすることも可能となる。
ここで、データ放送サービスで提供された番組に関連した詳細情報を得るための所定のＵＲＬのブックマークサービスを受けることも可能である。
【０００４】
したがって、地上波デジタル放送の受信を前提として、同一のユーザが複数の受信端末を用いることが考えられ、例えば、家庭で家族と放送受信装置を用いて視聴したり、個人用のパーソナルコンピュータで受信したり、移動中に携帯電話機で視聴したりする等、様々な使用状況が想定される。
この場合、ユーザは、上述したブックマークサービス等の情報提供サービスを受ける際も、各受信端末を、使用する時間や、場所、共に視聴する者の集まりとしてのコミュニティ等状況に応じて使い分けることとなる。
【０００５】
しかしながら、同一のユーザであっても、異なる受信端末を用いる場合には、上述したブックマークサービス等の情報提供サービスを受けようとすると、受信端末毎に別々に登録して、受信及び閲覧も別々に行うしかなく、情報の共有は考慮されていない。
また、同一のユーザが多種の受信端末を所有する場合には、使い分けを行うことが考えられるが、ＵＲＬ情報等を、例えば、共に視聴する者に応じて、使分けをすることは考慮されておらず、全受信端末に対して、全ての情報がフィルタされることなく同じように提示されてしまう。
【０００６】
例えば、一般電話網とインターネットとを介して携帯電話機を、インターネッを介してパーソナルコンピュータを、共にブックマーク提供サーバに接続し、携帯電話機からブックマーク提供サーバにブックマーク登録要求をし、登録されたブックマークは、携帯電話機及びパーソナルコンピュータによってブックマーク提供サーバから受信可能なように構成した技術が提案されており（例えば、特許文献２等参照。）、異なる受信端末間で、できるだけ情報を共有するために、この技術を、地上波デジタル放送を受信する場合に適用することが考えられる。
【０００７】
また、特定のコミュニティに属する複数の移動端末を含むグループ内で情報を共有し、要求元の移動端末へ、この移動端末に最も近い移動端末から、コミュニティに対応した情報を配信する技術（例えば、特許文献３等参照。）や、ユーザ毎に、ＵＲＬの接続可否を予め設定しておき、アクセス要求があった場合に、情報の開示範囲の制限を行う技術（例えば、特許文献４等参照。）が提案されており、情報の開示範囲を設定するために、この技術を、地上波デジタル放送を受信する場合に適用することが考えられる。
【０００８】
【特許文献１】特開２００３−０６７３２８号公報
【特許文献２】特開２００３−１５０４７２号公報
【特許文献３】特開２００４−１７２８１８号公報
【特許文献４】特開２００４−１２０５７４号公報
【発明の開示】
【発明が解決しようとする課題】
【０００９】
解決しようとする第１の問題点は、同一のユーザであっても、異なる受信端末の間でＵＲＬ情報等の情報の共有ができず、ブックマークサービス等の情報提供サービスを円滑に利用することができないという点である。
すなわち、特許文献２等の上記従来技術では、例えば、パーソナルコンピュータからは、登録要求はできず、一般に、異なる受信端末から同一情報の登録や読出しを自在に行うことができず、受信端末間でシームレスな情報の共有を行うことができない。
【００１０】
また、第２の問題点は、共に視聴する者が異なる場合等、視聴する際の状況に応じて使い分けができないという点である。
すなわち、特許文献３及び特許文献４等の上記従来技術では、ユーザ毎に、情報の内容の開示範囲を設定することはできても、例えば、同一のユーザが多種の受信端末を所有して用いることは想定しておらず、依然として、視聴する際の状況に応じて使い分けができない。
【００１１】
この発明は、上述の事情に鑑みてなされたもので、例えば、同一のユーザが複数の受信端末を用いる場合に、受信端末に依らずに、異なる受信端末の間でＵＲＬ情報等の情報の共有が可能で、ブックマークサービス等の情報提供サービスを簡単かつ円滑に利用することができる情報供給システム、情報処理装置、情報供給方法及び制御プログラムを提供することを第１の目的としている。
また、受信端末毎に、想定される使用状況に合わせて、視聴内容の範囲を簡単に設定及び変更することができる情報供給システム、情報処理装置、情報供給方法及び制御プログラムを提供することを第２の目的としている。
【課題を解決するための手段】
【００１２】
上記課題を解決するために、請求項１記載の発明は、第１の情報を第１の情報伝達経路を介して供給する第１の情報供給装置と、上記第１の情報に関連する第２の情報を第２の情報伝達経路を介して供給する第２の情報供給装置と、上記第１の情報を上記第１の情報伝達経路を介して受信し、上記第２の情報を上記第２の情報伝達経路を介して受信する情報受給端末とを備えた情報供給システムに係り、上記情報受給端末から利用者の本人確認情報を受信し、受信した上記本人確認情報に基づいて、上記利用者の本人認証を行う本人認証手段と、複数の又は複数組の上記本人確認情報に共通し、上記利用者を一意的に識別するために設定された共通本人識別情報が、上記本人確認情報に対応付けられて記憶された認証情報記憶手段とを備え、上記第２の情報供給装置は、上記第２の情報が上記共通本人識別情報に対応付けられて記憶された供給情報記憶手段を有し、上記本人認証手段は、上記情報受給端末から、上記本人確認情報を受信すると、受信した上記本人確認情報に基づいて、上記利用者の本人認証を行い、本人の認証がなされると、上記認証情報記憶手段に記憶され、上記本人確認情報に対応した上記共通本人識別情報を発行し、上記第２の情報供給手段は、上記情報受給端末から、上記第２の情報の供給を要求する情報提示要求を受信すると、上記本人認証手段から発行された上記共通本人識別情報に対応した上記第２の情報を、上記供給情報記憶手段から読み出して、上記情報受給端末へ送信することを特徴としている。
【００１３】
また、請求項２記載の発明は、請求項１記載の情報供給システムに係り、上記情報受給端末から上記利用者の上記本人確認情報を受信し、上記情報受給端末による上記第２の情報供給装置からの上記第２の情報の受給を可能とするための受付処理を行う受付処理手段を備え、上記受付処理手段は、上記情報受給端末から、上記本人確認情報とログイン要求とを受信すると、上記本人確認情報と本人認証要求とを、上記本人認証手段へ送信し、上記本人認証手段は、上記受付処理手段から上記本人確認情報と上記本人認証要求とを受信すると、受信した上記本人確認情報に基づいて、上記利用者の本人認証を行い、本人の認証がなされると、上記認証情報記憶手段に記憶され、上記本人確認情報に対応した上記共通本人識別情報を発行して、上記受付処理手段へ送信し、上記受付処理手段は、上記情報受給端末から、上記第２の情報の供給を要求する情報提示要求を受信すると、上記本人認証手段から受信した上記共通本人識別情報と、上記第２の情報の供給を要求する情報提示要求とを、上記第２の情報供給手段へ送信し、上記第２の情報供給手段は、上記受付処理手段から、上記共通本人識別情報と上記情報提示要求とを受信すると、上記共通本人識別情報に対応した上記第２の情報を、上記供給情報記憶手段から読み出して、上記受付処理手段を介して、上記情報受給端末へ送信することを特徴としている。
【００１４】
また、請求項３記載の発明は、上記認証情報記憶手段には、上記本人確認情報としてのログイン識別情報及びパスワードの組合せに対応付けられて、上記共通本人識別情報が記憶され、
上記受付処理手段は、請求項２記載の情報供給システムに係り、上記情報受給端末から、上記本人確認情報として１組の上記ログイン識別情報及び上記パスワードを受信して、上記本人認証手段へ送信し、上記本人認証手段は、上記受付処理手段から受信した上記ログイン識別情報と上記パスワードとを照合して、上記利用者の本人認証を行い、本人の認証がなされると、上記認証情報記憶手段に記憶され、上記ログイン識別情報及び上記パスワードに対応した上記共通本人識別情報を発行することを特徴としている。
【００１５】
また、請求項４記載の発明は、請求項１、２又は３記載の情報供給システムに係り、同一の上記利用者が用いる複数の上記情報受給端末を備え、上記本人確認情報は、上記情報受給端末毎、上記利用者毎、又は上記第２の情報を視聴する視聴者グループ毎に設定されていることを特徴としている。
【００１６】
また、請求項５記載の発明は、請求項１乃至４のいずれか１に記載の情報供給システムに係り、上記共通本人識別情報は、上記利用者毎、又は上記第２の情報を視聴する視聴者グループ毎に設定されていることを特徴としている。
【００１７】
また、請求項６記載の発明は、請求項２乃至５のいずれか１に記載の情報供給システムに係り、上記受付処理手段は、上記情報受給端末から、上記本人確認情報と上記ログイン要求とを受信すると、上記本人確認情報と本人認証要求とを、上記本人認証手段へ送信し、上記本人認証手段は、上記受付処理手段から上記本人確認情報と上記本人認証要求とを受信すると、受信した上記本人確認情報に基づいて、上記利用者の本人認証を行い、本人の認証がなされると、上記認証情報記憶手段に記憶され、上記本人確認情報に対応した上記共通本人識別情報を発行して、上記受付処理手段へ送信し、上記受付処理手段は、上記情報受給端末から、上記第２の情報の登録を要求する情報登録要求を受けると、上記本人認証手段から受信した上記共通本人識別情報と、上記第２の情報の登録を要求する情報登録要求とを、上記第２の情報供給手段へ送信し、上記第２の情報供給手段は、上記第２の情報を、上記共通本人識別情報に対応付けて供給情報記憶手段に記憶させることを特徴としている。
【００１８】
また、請求項７記載の発明は、請求項１乃至６のいずれか１に記載の情報供給システムに係り、上記供給情報記憶手段に蓄積され、上記情報受給端末へ供給される上記第２の情報を上記第２の情報供給装置へ送信する配信元端末を備えたことを特徴としている。
【００１９】
また、請求項８記載の発明は、請求項６記載の情報供給システムに係り、上記情報受給端末は、上記第１の情報供給装置から送信され、上記第１の情報に含まれた上記第２の情報を、上記第１の情報伝達経路を介して受信し、上記第２の情報を抽出して、上記受付処理手段へ、上記第２の情報情報と共に上記情報登録要求を送信することを特徴としている。
【００２０】
また、請求項９記載の発明は、請求項１乃至８のいずれか１に記載の情報供給システムに係り、所定の情報供給可否判定規則に従って、上記情報受給端末に対する上記第２の情報の供給の可否を判定する供給可否判定手段と、上記情報供給可否判定規則が記憶された判定規則記憶手段とを備えたことを特徴としている。
【００２１】
また、請求項１０記載の発明は、請求項９記載の情報供給システムに係り、上記第２の情報供給装置による上記情報受給端末に対する上記第２の情報の供給の可否を判定するための上記情報供給可否判定規則を生成して管理する判定規則生成管理手段を備えたことを特徴としている。
【００２２】
また、請求項１１記載の発明は、請求項９又は１０記載の情報供給システムに係り、上記第２の情報は、それぞれ所定の上記情報供給可否判定規則が対応付けられて、上記供給情報記憶手段に記憶されていることを特徴としている。
【００２３】
また、請求項１２記載の発明は、請求項９、１０又は１１記載の情報供給システムに係り、上記情報供給可否判定規則は、上記共通本人識別情報又は上記本人確認情報と、上記第２の情報を受給する際の情報受給条件情報とに基づいて生成されることを特徴としている。
【００２４】
また、請求項１３記載の発明は、請求項９乃至１２のいずれか１に記載の情報供給システムに係り、上記利用者の氏名と、性別、年齢、住所又は地域、家族構成、趣味、嗜好、既婚／未婚別、職業、及び国籍のうち少なくとも１つを含む付加情報とからなる利用者情報を記憶した利用者情報記憶手段を備え、上記情報供給可否判定規則は、上記利用者情報に基づいて生成されることを特徴としている。
【００２５】
また、請求項１４記載の発明は、請求項９、１０又は１１記載の情報供給システムに係り、上記情報供給可否判定規則は、上記情報受給端末から送信され、上記情報供給可否判定規則の設定又は変更を要求するための規則生成要求情報に基づいて生成されることを特徴としている。
【００２６】
また、請求項１５記載の発明は、請求項９乃至１４のいずれか１に記載の情報供給システムに係り、上記情報受給端末は、上記受付処理手段に対しては、ログイン要求を送信する際に、ログイン情報として上記本人確認情報のほかに、上記情報受給端末の端末属性情報を送信することを特徴としている。
【００２７】
また、請求項１６記載の発明は、請求項１５記載の情報供給システムに係り、上記情報受給端末として、対応する上記共通本人識別情報が同一である第１の情報受給端末及び第２の情報受給端末を備え、上記受付処理手段は、上記第１の情報受給端末から、上記ログイン要求がなされた後に、上記情報登録要求を受けると、上記ログイン情報に含まれ、上記本人確認情報に対応する上記共通本人識別情報と、上記端末属性情報とを、上記第２の情報供給手段及び上記判定規則生成管理手段へ送信し、上記判定規則生成管理手段は、上記共通本人識別情報及び上記端末属性情報に対応させて所定の上記情報供給可否判定規則を設定し、上記供給情報記憶手段には、上記共通本人識別情報及び上記端末属性情報に対応付けられて、所定の上記第２の情報が記憶され、上記受付処理手段は、上記第２の情報受給端末から、ログイン要求がなされた後に、上記情報提示要求を受けると、上記第２の情報受給端末から送信されたログイン情報に含まれた本人確認情報に対応する上記共通本人識別情報と、端末属性情報とを、上記第２の情報供給手段又は／及び上記供給可否判定手段へ送信し、上記供給可否判定手段は、上記共通本人識別情報及び上記第２の情報受給端末の上記端末属性情報を、上記情報供給可否判定規則と照合し、上記供給情報記憶手段から、上記情報供給可否判定規則に適合する上記第２の情報を抽出し、上記第２の情報受給端末へ送信することを特徴としている。
【００２８】
また、請求項１７記載の発明は、請求項１５又は１６記載の情報供給システムに係り、上記利用者による指定がない場合又は無効である場合に用いられ、上記利用者情報に基づいて設定されたデフォルト情報としての上記端末属性情報を記憶するデフォルト情報記憶手段を備えたことを特徴としている。
【００２９】
また、請求項１８記載の発明は、請求項１７記載の情報供給システムに係り、上記デフォルト情報としての上記端末属性情報は、上記情報受給端末から送信され、上記デフォルト情報としての上記端末属性情報情報の設定又は変更を要求するためのデフォルト情報設定要求情報に基づいて生成されることを特徴としている。
【００３０】
また、請求項１９記載の発明は、請求項１５乃至１８のいずれか１に記載の情報供給システムに係り、上記情報受給条件情報及び上記端末属性情報は、上記第２の情報を受給する際の上記第２の情報を視聴する視聴者グループと、上記情報受給端末の端末識別情報及び端末種別とのうち、少なくとも１つを含むことを特徴としている。
【００３１】
また、請求項２０記載の発明は、請求項１３乃至１９のいずれか１に記載の情報供給システムに係り、上記配信元端末から送信されて上記供給情報記憶手段に蓄積された上記第２の情報に対応した上記情報供給可否判定規則には、上記情報受給端末を特定するための上記利用者情報に基づいて設定された付加条件が含まれていることを特徴としている。
【００３２】
また、請求項２１記載の発明は、請求項１１乃至２０のいずれか１に記載の情報供給システムに係り、上記情報供給可否判定規則は、上記情報受給端末の使用場所又は使用時間に応じて設定されていることを特徴としている。
【００３３】
また、請求項２２記載の発明は、第１の情報を第１の情報伝達経路を介して供給する第１の情報供給装置と、上記第１の情報に関連する第２の情報を第２の情報伝達経路を介して供給する第２の情報供給装置と、上記第１の情報を上記第１の情報伝達経路を介して受信し、上記第２の情報を上記第２の情報伝達経路を介して受信する情報受給端末とを備えた情報供給システムに係り、上記情報受給端末から利用者の本人確認情報を受信し、受信した上記本人確認情報に基づいて、上記利用者の本人認証を行う本人認証手段と、所定の情報供給可否判定規則に従って、上記情報受給端末に対する上記第２の情報の供給の可否を判定する供給可否判定手段と、上記情報供給可否判定規則が記憶された判定規則記憶手段とを備え、上記第２の情報供給装置は、上記第２の情報が上記本人確認情報に対応付けられて記憶された供給情報記憶手段を有し、上記本人認証手段は、上記情報受給端末から、上記本人確認情報を受信すると、受信した上記本人確認情報に基づいて、上記利用者の本人認証を行い、上記本人認証手段によって本人の認証がなされた状態で、上記第２の情報供給手段が、上記情報受給端末から、上記第２の情報の供給を要求する情報提示要求を受信すると、上記供給可否判定手段が、上記供給情報記憶手段から、上記本人確認情報に対応し、かつ、上記判定規則記憶手段に記憶された上記情報供給可否判定規則に適合する上記第２の情報を抽出し、上記情報受給端末へ送信することを特徴としている。
【００３４】
また、請求項２３記載の発明は、請求項１乃至２２のいずれか１に記載の情報供給システムを構成する情報処理装置に係り、上記第２の情報供給装置と、上記本人認証手段と、上記認証情報記憶手段と、上記受付処理手段と、上記判定規則生成管理手段と、上記供給可否判定手段と、上記判定規則記憶手段とのうち、少なくとも１つを備えたことを特徴としている。
【００３５】
また、請求項２４記載の発明は、第１の情報供給装置によって、第１の情報を第１の情報伝達経路を介して供給し、第２の情報供給装置によって、上記第１の情報に関連する第２の情報を第２の情報伝達経路を介して供給し、情報受給端末によって、上記第１の情報を上記第１の情報伝達経路を介して受信し、上記第２の情報を上記第２の情報伝達経路を介して受信する情報供給方法に係り、本人認証手段によって、上記情報受給端末から利用者の本人確認情報を受信し、受信した上記本人確認情報に基づいて、上記利用者の本人認証を行い、認証情報記憶手段によって、複数の又は複数組の上記本人確認情報に共通し、上記利用者を一意的に識別するために設定された共通本人識別情報を、上記本人確認情報に対応付けて記憶し、上記第２の情報供給装置は、上記第２の情報が上記共通本人識別情報に対応付けられて記憶された供給情報記憶手段を有し、上記本人認証手段は、上記情報受給端末から、上記本人確認情報を受信すると、受信した上記本人確認情報に基づいて、上記利用者の本人認証を行い、本人の認証がなされると、上記認証情報記憶手段に記憶され、上記本人確認情報に対応した上記共通本人識別情報を発行し、上記第２の情報供給手段は、上記情報受給端末から、上記第２の情報の供給を要求する情報提示要求を受信すると、上記本人認証手段から発行された上記共通本人識別情報に対応した上記第２の情報を、上記供給情報記憶手段から読み出して、上記情報受給端末へ送信することを特徴としている。
【００３６】
また、請求項２５記載の発明は、請求項２４記載の情報供給方法に係り、受付処理手段によって、上記情報受給端末から上記利用者の上記本人確認情報を受信し、上記情報受給端末による上記第２の情報供給装置からの上記第２の情報の受給を可能とするための受付処理を行い、上記受付処理手段は、上記情報受給端末から、上記本人確認情報とログイン要求とを受信すると、上記本人確認情報と本人認証要求とを、上記本人認証手段へ送信し、上記本人認証手段は、上記受付処理手段から上記本人確認情報と上記本人認証要求とを受信すると、受信した上記本人確認情報に基づいて、上記利用者の本人認証を行い、本人の認証がなされると、上記認証情報記憶手段に記憶され、上記本人確認情報に対応した上記共通本人識別情報を発行して、上記受付処理手段へ送信し、上記受付処理手段は、上記情報受給端末から、上記第２の情報の供給を要求する情報提示要求を受信すると、上記本人認証手段から受信した上記共通本人識別情報と、上記第２の情報の供給を要求する情報提示要求とを、上記第２の情報供給手段へ送信し、上記第２の情報供給手段は、上記受付処理手段から、上記共通本人識別情報と上記情報提示要求とを受信すると、上記共通本人識別情報に対応した上記第２の情報を、上記供給情報記憶手段から読み出して、上記受付処理手段を介して、上記情報受給端末へ送信することを特徴としている。
【００３７】
また、請求項２６記載の発明は、請求項２５記載の情報供給方法に係り、上記認証情報記憶手段には、上記本人確認情報としてのログイン識別情報及びパスワードの組合せに対応付けられて、上記共通本人識別情報が記憶され、上記受付処理手段は、上記情報受給端末から、上記本人確認情報として１組の上記ログイン識別情報及び上記パスワードを受信して、上記本人認証手段へ送信し、上記本人認証手段は、上記受付処理手段から受信した上記ログイン識別情報と上記パスワードとを照合して、上記利用者の本人認証を行い、本人の認証がなされると、上記認証情報記憶手段に記憶され、上記ログイン識別情報及び上記パスワードに対応した上記共通本人識別情報を発行することを特徴としている。
【００３８】
また、請求項２７記載の発明は、請求項２４、２５又は２６記載の情報供給方法に係り、同一の上記利用者によって複数の上記情報受給端末が用いられ、上記本人確認情報は、上記情報受給端末毎、上記利用者毎、又は上記第２の情報を視聴する視聴者グループ毎に設定されていることを特徴としている。
【００３９】
また、請求項２８記載の発明は、請求項２４乃至２７のいずれか１に記載の情報供給方法に係り、上記共通本人識別情報は、上記利用者毎、又は上記第２の情報を視聴する視聴者グループ毎に設定されていることを特徴としている。
【００４０】
また、請求項２９記載の発明は、請求項２５乃至２８のいずれか１に記載の情報供給方法に係り、上記受付処理手段は、上記情報受給端末から、上記本人確認情報と上記ログイン要求とを受信すると、上記本人確認情報と本人認証要求とを、上記本人認証手段へ送信し、上記本人認証手段は、上記受付処理手段から上記本人確認情報と上記本人認証要求とを受信すると、受信した上記本人確認情報に基づいて、上記利用者の本人認証を行い、本人の認証がなされると、上記認証情報記憶手段に記憶され、上記本人確認情報に対応した上記共通本人識別情報を発行して、上記受付処理手段へ送信し、上記受付処理手段は、上記情報受給端末から、上記第２の情報の登録を要求する情報登録要求を受けると、上記本人認証手段から受信した上記共通本人識別情報と、上記第２の情報の登録を要求する情報登録要求とを、上記第２の情報供給手段へ送信し、上記第２の情報供給手段は、上記第２の情報を、上記共通本人識別情報に対応付けて供給情報記憶手段に記憶させることを特徴としている。
【００４１】
また、請求項３０記載の発明は、請求項２４乃至２９のいずれか１に記載の情報供給方法に係り、配信元端末によって、上記供給情報記憶手段に蓄積され、上記情報受給端末へ供給される上記第２の情報を上記第２の情報供給装置へ送信することを特徴としている。
【００４２】
また、請求項３１記載の発明は、請求項２９記載の情報供給方法に係り、上記情報受給端末は、上記第１の情報供給装置から送信され、上記第１の情報に含まれた上記第２の情報を、上記第１の情報伝達経路を介して受信し、上記第２の情報を抽出して、上記受付処理手段へ、上記第２の情報情報と共に上記情報登録要求を送信することを特徴としている。
【００４３】
また、請求項３２記載の発明は、請求項２４乃至３１のいずれか１に記載の情報供給方法に係り、供給可否判定手段によって、所定の情報供給可否判定規則に従って、上記情報受給端末に対する上記第２の情報の供給の可否を判定し、判定規則記憶手段によって、上記情報供給可否判定規則を記憶することを特徴としている。
【００４４】
また、請求項３３記載の発明は、請求項３２記載の情報供給方法に係り、判定規則生成管理手段によって、上記第２の情報供給装置による上記情報受給端末に対する上記第２の情報の供給の可否を判定するための上記情報供給可否判定規則を生成して管理することを特徴としている。
【００４５】
また、請求項３４記載の発明は、請求項３２又は３３記載の情報供給方法に係り、上記第２の情報は、それぞれ所定の上記情報供給可否判定規則が対応付けられて、上記供給情報記憶手段に記憶されていることを特徴としている。
【００４６】
また、請求項３５記載の発明は、請求項３２、３３又は３４記載の情報供給方法に係り、上記情報供給可否判定規則は、上記共通本人識別情報又は上記本人確認情報と、上記第２の情報を受給する際の情報受給条件情報とに基づいて生成されることを特徴としている。
【００４７】
また、請求項３６記載の発明は、請求項３２乃至３５のいずれか１に記載の情報供給方法に係り、利用者情報記憶手段によって、上記利用者の氏名と、性別、年齢、住所又は地域、家族構成、趣味、嗜好、既婚／未婚別、職業、及び国籍のうち少なくとも１つを含む付加情報とからなる利用者情報を記憶し、上記情報供給可否判定規則は、上記利用者情報に基づいて生成されることを特徴としている。
【００４８】
また、請求項３７記載の発明は、請求項３２、３３又は３４記載の情報供給方法に係り、上記情報供給可否判定規則は、上記情報受給端末から送信され、上記情報供給可否判定規則の設定又は変更を要求するための規則生成要求情報に基づいて生成されることを特徴としている。
【００４９】
また、請求項３８記載の発明は、請求項３３乃至３７のいずれか１に記載の情報供給方法に係り、上記情報受給端末は、上記受付処理手段に対しては、ログイン要求を送信する際に、ログイン情報として上記本人確認情報のほかに、上記情報受給端末の端末属性情報を送信することを特徴としている。
【００５０】
また、請求項３９記載の発明は、請求項３８記載の情報供給方法に係り、対応する上記共通本人識別情報が同一である上記情報受給端末としての第１の情報受給端末及び第２の情報受給端末によって、上記第１の情報を上記第１の情報伝達経路を介して受信し、上記第２の情報を上記第２の情報伝達経路を介して受信し、上記受付処理手段は、上記第１の情報受給端末から、上記ログイン要求がなされた後に、上記情報登録要求を受けると、上記ログイン情報に含まれ、上記本人確認情報に対応する上記共通本人識別情報と、上記端末属性情報とを、上記第２の情報供給手段及び上記判定規則生成管理手段へ送信し、上記判定規則生成管理手段は、上記共通本人識別情報及び上記端末属性情報に対応させて所定の上記情報供給可否判定規則を設定し、上記供給情報記憶手段には、上記共通本人識別情報及び上記端末属性情報に対応付けられて、所定の上記第２の情報が記憶され、上記受付処理手段は、上記第２の情報受給端末から、ログイン要求がなされた後に、上記情報提示要求を受けると、上記第２の情報受給端末から送信されたログイン情報に含まれた本人確認情報に対応する上記共通本人識別情報と、端末属性情報とを、上記第２の情報供給手段又は／及び上記供給可否判定手段へ送信し、上記供給可否判定手段は、上記共通本人識別情報及び上記第２の情報受給端末の上記端末属性情報を、上記情報供給可否判定規則と照合し、上記供給情報記憶手段から、上記情報供給可否判定規則に適合する上記第２の情報を抽出し、上記第２の情報受給端末へ送信することを特徴としている。
【００５１】
また、請求項４０記載の発明は、請求項３８又は３９記載の情報供給方法に係り、デフォルト情報記憶手段によって、上記利用者による指定がない場合又は無効である場合に用いられ、上記利用者情報に基づいて設定されたデフォルト情報としての上記端末属性情報を記憶することを特徴としている。
【００５２】
また、請求項４１記載の発明は、請求項４０記載の情報供給方法に係り、上記デフォルト情報としての上記端末属性情報は、上記情報受給端末から送信され、上記デフォルト情報としての上記端末属性情報情報の設定又は変更を要求するためのデフォルト情報設定要求情報に基づいて生成されることを特徴としている。
【００５３】
また、請求項４２記載の発明は、請求項３８乃至４１のいずれか１に記載の情報供給方法に係り、上記情報受給条件情報及び上記端末属性情報は、上記第２の情報を受給する際の上記第２の情報を視聴する視聴者グループと、上記情報受給端末の端末識別情報及び端末種別とのうち、少なくとも１つを含むことを特徴としている。
【００５４】
また、請求項４３記載の発明は、請求項３６乃至４２のいずれか１に記載の情報供給方法に係り、上記配信元端末から送信されて上記供給情報記憶手段に蓄積された上記第２の情報に対応した上記情報供給可否判定規則には、上記情報受給端末を特定するための上記利用者情報に基づいて設定された付加条件が含まれていることを特徴としている。
【００５５】
また、請求項４４記載の発明は、請求項３４乃至４３のいずれか１に記載の情報供給方法に係り、上記情報供給可否判定規則は、上記情報受給端末の使用場所又は使用時間に応じて設定されていることを特徴としている。
【００５６】
また、請求項４５記載の発明は、第１の情報供給装置によって、第１の情報を第１の情報伝達経路を介して供給し、第２の情報供給装置によって、上記第１の情報に関連する第２の情報を第２の情報伝達経路を介して供給し、情報受給端末によって、上記第１の情第１の情報供給装置報を上記第１の情報伝達経路を介して受信し、上記第２の情報を上記第２の情報伝達経路を介して受信する情報供給方法に係り、本人認証手段によって、上記情報受給端末から利用者の本人確認情報を受信し、受信した上記本人確認情報に基づいて、上記利用者の本人認証を行い、供給可否判定手段によって、所定の情報供給可否判定規則に従って、上記情報受給端末に対する上記第２の情報の供給の可否を判定し、判定規則記憶手段によって、上記情報供給可否判定規則を記憶し、上記第２の情報供給装置は、上記第２の情報が上記本人確認情報に対応付けられて記憶された供給情報記憶手段を有し、上記本人認証手段は、上記情報受給端末から、上記本人確認情報を受信すると、受信した上記本人確認情報に基づいて、上記利用者の本人認証を行い、上記本人認証手段によって本人の認証がなされた状態で、上記第２の情報供給手段が、上記情報受給端末から、上記第２の情報の供給を要求する情報提示要求を受信すると、上記供給可否判定手段が、上記供給情報記憶手段から、上記本人確認情報に対応し、かつ、上記判定規則記憶手段に記憶された上記情報供給可否判定規則に適合する上記第２の情報を抽出し、上記情報受給端末へ送信することを特徴としている。
【００５７】
また、請求項４６記載の発明に係る制御プログラムは、コンピュータに請求項２４乃至４５のうちいずれか１に記載の情報供給方法を実行させることを特徴としている。
【発明の効果】
【００５８】
この発明の構成によれば、本人認証手段は、情報受給端末から、本人確認情報を受信すると、受信した本人確認情報に基づいて、利用者の本人認証を行い、本人の認証がなされると、認証情報記憶手段に記憶され、本人確認情報に対応した共通本人識別情報を発行し、第２の情報供給手段は、情報受給端末から、第２の情報の供給を要求する情報提示要求を受信すると、共通本人識別情報に対応した第２の情報を、供給情報記憶手段から読み出して、情報受給端末へ送信するので、例えば、同一の利用者が複数の情報受給端末を用いる場合に、情報受給端末に依らずに、異なる情報受給端末の間でＵＲＬ情報等の情報の共有が可能で、ブックマークサービス等の情報提供サービスを簡単かつ円滑に利用することができる。
また、所定の情報供給可否判定規則に従って、情報受給端末に対する第２の情報の供給の可否を判定する供給可否判定手段を備えることによって、情報受給端末毎に、想定される使用状況に合わせて、視聴内容の範囲を簡単に設定及び変更することができる。
【発明を実施するための最良の形態】
【００５９】
本人認証手段が、情報受給端末から、本人確認情報を受信すると、受信した本人確認情報に基づいて、利用者の本人認証を行い、本人の認証がなされると、認証情報記憶手段に記憶され、本人確認情報に対応した共通本人識別情報を発行し、第２の情報供給手段は、情報受給端末から、第２の情報の供給を要求する情報提示要求を受信すると、共通本人識別情報に対応した第２の情報を、供給情報記憶手段から読み出して、情報受給端末へ送信することによって、受付処理手段から受信した受付識別情報とパスワードとを照合して、利用者の本人認証を行い、本人の認証がなされると、認証情報記憶手段に記憶され、受付識別情報及びパスワードに対応した共通本人識別情報を発行することによって、例えば、同一の利用者が複数の情報受給端末を用いる場合に、情報受給端末に依らずに、異なる情報受給端末の間でＵＲＬ情報等の情報の共有が可能で、ブックマークサービス等の情報提供サービスを簡単かつ円滑に利用するという第１の目的を実現した。
また、所定の情報供給可否判定規則に従って、情報受給端末に対する第２の情報の供給の可否を判定する供給可否判定手段を備えることによって、例えば、情報受給端末毎に、想定される使用状況に合わせて、視聴内容の範囲を簡単に設定及び変更するという第２の目的を実現した。
【実施例１】
【００６０】
図１は、この発明の第１実施例である共有情報供給システムの構成を示す図、図２は、同共有情報供給システムの情報管理センタの構成を示すブロック図、図３は、同情報管理センタのサービス受付サーバ及びユーザ情報管理サーバの構成を示すブロック図、図４は、同サービス受付サーバの記憶部の構成を示すブロック図、図５は、同サービス受付サーバの記憶部のデフォルト情報記憶領域に記憶されたデフォルト情報テーブルの例を示す図、図６は、同ユーザ情報管理サーバの記憶部の構成を示すブロック図、図７は、同ユーザ情報管理サーバの記憶部のルール情報記憶領域に記憶されたルール情報テーブルの例を示す図、図８は、同ユーザ情報管理サーバの記憶部の端末情報記憶領域に記憶された端末情報テーブルの例を示す図、図９は、同情報管理センタのサービス情報管理システムの構成を示すブロック図、図１０は、同情報管理センタの操作端末の構成を示すブロック図、図１１は、同共有情報供給システムの携帯電話機の構成を示すブロック図、図１２は、同携帯電話機のＴＶ受信部の構成を示すブロック図、図１３は、同共有情報供給システムの放送受信装置の構成を示すブロック図、図１４は、同放送受信装置の受信部の構成を示すブロック図、図１５は、同共有情報供給システムの放送受信・記録装置の構成を示すブロック図、図１６は、同放送受信・記録装置の受信部の構成を示すブロック図、図１７は、同共有情報供給システムのパーソナルコンピュータの構成を示すブロック図、図１８は、同共有情報供給システムの認証システムのユーザ認証サーバの記憶部に記憶された認証情報テーブルの例を示す図、図１９は、同共有情報供給システムのネットワークの構成を示す図、図２０は、同ネットワークの通信管理センタの構成を示すブロック図、また、図２１乃至図２５は、同共有情報供給システムの動作を説明するための処理手順図である。
【００６１】
この例の共有情報供給システム１は、図１に示すように、情報共有サービス提供事業者が管理する情報管理センタ２と、放送事業者が管理する放送局システム３から送信される地上波デジタル放送の受信が可能な複数の受信端末からなる受信端末群４，４，…と、受信端末を保有するユーザ（利用者、視聴者）の本人認証を行う認証システム５と、例えば受信端末を保有するユーザが負担すべきサービス利用料金に関する課金処理を行う課金管理システム６とが、ネットワーク７を介して接続されて、概略構成されている。
受信端末群４は、この例では、同一のユーザが保有し、受信端末としての携帯電話機４ａと、ＩＲＤ（Integrated Reciever decorder）を含む放送受信装置４ｂと、放送受信・記録装置４ｃと、パーソナルコンピュータ４ｄとを含んでいる。
【００６２】
情報管理センタ２は、図２に示すように、ユーザからのサービスの利用受付を行うサービス受付サーバ１１と、ユーザの受信端末保有情報や、プロファイル等のユーザの個人情報を管理するユーザ情報管理サーバ１２と、ユーザに対して提供するサービスに関して、その内容を管理し、ユーザ毎に要求されたサービス（例えば、店舗情報検索サービス、ＣＭクーポン配信サービス、ブックマーク共有情報提供サービス等）を提供するサービス情報管理システム１３と、担当者が操作するための操作端末１４とを有している。
【００６３】
サービス受付サーバ１１（ユーザ情報管理サーバ１２）は、図３に示すように、ＣＰＵ等からなり、記憶部１７（２２）に記憶された所定の制御プログラムに従って構成各部を制御する制御部１６（２１）と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部１７（２２）と、所定のプロトコルに従ってデータ通信を行うための通信部１８（２３）とを有している。
【００６４】
サービス受付サーバ１１の制御部１６は、記憶部１７に記憶された制御プログラムに従って、例えば、受信端末から送信されてきたログイン情報を受け付けるログイン処理や、受信端末を特定する端末ＩＤが割り当てられている場合に、受信端末と通信を行って、受信端末から端末ＩＤを取得する端末ＩＤ取得処理、端末種別毎のログイン情報のデフォルト値を管理するデフォルト値管理処理、要求受付処理、要求応答処理等を実行する。なお、要求受付処理では、認証システム５と連携して、本人認証処理の一部を担う。
記憶部１７は、図４に示すように、制御プログラム等が記憶されたプログラム記憶部２５と、各種情報が記憶された情報記憶部２６とを有してなっている。
プログラム記憶部２５は、ログイン処理プログラムが記憶されたログイン処理プログラム記憶領域２５ａと、端末ＩＤ取得処理プログラムが記憶された端末ＩＤ取得処理プログラム記憶領域２５ｂと、デフォルト値管理処理プログラムが記憶されたデフォルト値管理処理プログラム記憶領域２５ｃと、要求受付処理プログラムが記憶された要求受付処理プログラム記憶領域２５ｄと、要求応答処理プログラムが記憶された要求応答処理プログラム記憶領域２５ｅとを有している。
【００６５】
ログイン処理プログラムには、例えば、各受信端末から送信されてきたログイン情報としてのログインＩＤ（本人確認情報、ログイン識別情報）と、パスワード（本人確認情報）と、コミュニティ情報とを受け付け、ログインＩＤと、パスワードとを認証システム５へ送信し、認証システム５からユニバーサルＩＤ（共通本人識別情報）を受け取って、要求受付処理へ渡すための手順が記述されている。
また、ログイン処理プログラムには、端末ＩＤ取得処理から渡された端末ＩＤと、デフォルト値管理処理から渡された端末種別情報を要求受付処理へ渡すための手順が記述されている。
【００６６】
また、ログイン処理プログラムには、ログイン情報としてコミュニティ情報を受け取った場合に、対応するコミュニティＩＤを要求受付処理へ渡し、ユーザによるコミュニティ情報の指定がなかった場合に、デフォルト値管理処理から渡されたコミュニティＩＤを要求受付処理へ渡すための手順が記述されている。
このように、ログイン処理では、デフォルト値管理処理と連携し、ユーザによって指定されないログイン情報がある場合に、このログイン情報のデフォルト値を受信端末に対して提示する。
【００６７】
ここで、ログインＩＤ及びパスワードは、同一ユーザであっても、一般に、受信端末毎に設定される。また、コミュニティ情報は、同一ユーザが保有する受信端末毎に設定され、同一受信端末によって、同一情報を共に視聴する者の集まりに関する情報であり、使用状況に応じて、コミュニティとして、例えば、個人、家族、友人、勤務先の同部署の同僚、趣味や嗜好を同じくするグループ等のなかから選択される。このコミュニティ情報は、ログイン時にユーザが受信端末の操作部から入力する。ユーザの指定がない場合には、デフォルト値が用いられる。
また、端末ＩＤは、例えば、放送受信装置のＩＲＤのＩＤ等、受信端末を特定するために割り当てられる。また、ユニバーサルＩＤは、受信端末に依らず、この例の共有情報供給システム１において、ユーザを一意的に識別するために設定される。
【００６８】
端末ＩＤ取得処理プログラムには、ログインした受信端末に、受信端末を特定する端末ＩＤが割り当てられている場合に、受信端末と通信を行って、受信端末から端末ＩＤを取得する手順と、取得した端末ＩＤをログイン処理に渡す手順とが記述されている。
デフォルト値管理処理プログラムには、ログイン処理から渡された端末ＩＤ情報をユーザ情報管理サーバ１２へ送信し、ユーザ情報管理サーバ１２から特定された端末種別情報（この例では、携帯電話機、放送受信装置、放送受信・記録装置、又はパーソナルコンピュータ）を受け取り、ログイン処理に渡す手順が記述されている。
【００６９】
また、デフォルト値管理処理プログラムには、ユーザの指定がない場合に、デフォルト値としてのコミュニティＩＤをログイン処理に渡す手順が記述されている。
デフォルト値管理処理では、ユーザによって指定されないログイン情報がある場合に備えるために、また、ユーザがその都度選択する必要がないように、例えば、ユーザ情報管理サーバ１２と連携して、ログイン情報のデフォルト値が設定され、デフォルト情報記憶領域２６ｃに記憶される。また、これらのデフォルト値は、各受信端末から別の受信端末のデフォルト値についても変更可能とされる。
これによって、同一の受信端末を、複数の者で共用したり、使用時の状況が変わることに対応して、ログインするユーザや、状況に応じたコミュニティの切換えが可能となる。
【００７０】
要求受付処理プログラムには、ログイン処理において取得したユニバーサルＩＤと、端末ＩＤと、コミュニティＩＤとを受け取り、要求受付情報記憶領域２６ｄに格納する手順が記述されている。
要求応答処理プログラムには、要求受付処理において受け付けた要求に関しての応答を受信端末に対して行う手順が記述されている。
【００７１】
情報記憶部２６は、ログイン情報が記憶されるログイン情報記憶領域２６ａと、受信端末の端末情報が記憶される端末情報記憶領域２６ｂと、ユーザ毎及び受信端末毎にログイン情報のデフォルト値情報が記憶されるデフォルト情報記憶領域２６ｃと、要求受付情報が記憶される要求受付情報記憶領域２６ｄと、要求応答情報が記憶される要求応答情報記憶領域２６ｅとを有している。
デフォルト情報記憶領域２６ｃには、図５に示すように、デフォルト情報テーブル２６ｓが記憶されている。
このデフォルト情報テーブル２６ｓには、ユーザ毎に、デフォルト値として、ユニバーサルＩＤと、各受信端末に対応した端末種別と、端末ＩＤと、コミュニティＩＤとが記憶されている。
図５において、端末種別（０００１）、（０００２）、（０００３）、（０００４）は、例えば、それぞれ、携帯電話機、放送受信装置、放送受信・記録装置、パーソナルコンピュータに対応している。また、コミュニティＩＤ（０００１）、（０００２）、（０００３）は、例えば、それぞれ、コミュニティを家族、個人、友人とした場合に対応している。
【００７２】
ユーザ情報管理サーバ１２の制御部２１は、記憶部２２に記憶された制御プログラムに従って、例えば、コミュニティ情報管理処理や、ユーザプロファイル情報管理処理、ルール管理処理、端末情報管理処理等を実行する。
記憶部２２は、図６に示すように、制御プログラム等が記憶されたプログラム記憶部２７と、各種情報が記憶された情報記憶部２８とを有してなっている。
プログラム記憶部２７は、コミュニティ情報管理処理プログラムが記憶されたコミュニティ情報管理処理プログラム記憶領域２７ａと、ユーザプロファイル情報管理処理プログラムが記憶されたユーザプロファイル情報管理処理プログラム記憶領域２７ｂと、ルール管理処理プログラムが記憶されたルール管理処理プログラム記憶領域２７ｃと、端末情報管理処理プログラムが記憶された端末情報管理処理プログラム記憶領域２７ｄとを有している。
【００７３】
コミュニティ情報管理処理プログラムには、ユーザ毎に、そのユーザの属するコミュニティ（例えば、家族、友人、個人等）に関する情報を管理するための手順が記述されている。
また、ユーザプロファイル情報管理処理プログラムには、ユーザの性別、年齢、住所（地域）、趣味及び嗜好、既婚／未婚別、職業、国籍等の情報を、ユーザ毎に管理するための手順が記述されている。
【００７４】
ルール管理処理プログラムには、サービス受付サーバ１１からユニバーサルＩＤ、端末種別、コミュニティＩＤを受け取ると、対応する分類コードを生成して、サービス受付サーバ１１へ通知するための手順と、サービス受付サーバ１１やサービス情報管理システム１３からフィルタ条件の検索要求や提示要求を受けた場合に、これを通知するための手順が記述されている。
また、ルール管理処理プログラムには、例えば、ユーザのログインした条件によって、サービス情報管理システム１３によって提供される種々の情報提供サービスのフィルタ条件（例えば、分類レベル等）を管理するための手順が記述されている。
また、端末情報管理処理プログラムには、ユーザ毎（ユニバーサルＩＤ毎）に、各ユーザが保有している受信端末の端末種別、端末ＩＤ等の端末情報を管理するための手順が記述されている。
【００７５】
情報記憶部２８は、コミュニティ情報が記憶されたコミュニティ情報記憶領域２８ａと、ユーザプロファイル情報が記憶されるユーザプロファイル情報記憶領域２８ｂと、ルール情報が記憶されるルール情報記憶領域２８ｃと、端末情報が記憶される端末情報記憶領域２８ｄを有している。
コミュニティ情報記憶領域２８ａには、ユーザ毎に、そのユーザの属するコミュニティ（例えば、家族、友人、個人等）に関する情報が記憶されている。
ユーザプロファイル情報記憶領域２８ｂには、ユーザの性別、年齢、住所（地域）、嗜好、既婚／未婚別等の情報をユーザ毎に記憶されている。
【００７６】
ルール情報記憶領域２８ｃには、図７に示すように、ルール情報テーブル２８ｓが記憶されている。ルール情報テーブル２８ｓには、ユーザ毎及び分類コード毎に設定され、情報の供給の可否を判定するための情報供給可否判定規則としてのフィルタルールが記憶されている。
この分類コードは、ユニバーサルＩＤ、端末ＩＤ、端末種別、コミュニティＩＤ、分類レベルから構成され、例えば、（ＡＢＣＤＥ＝ａａａａｂｂｂｂｃｃｃｃｄｄｄｄｅｅｅｅｅ）のように、２０桁の文字列によって表現される。ここで、Ａ：ユニバーサルＩＤ、Ｂ：端末ＩＤ、Ｃ：端末種別、Ｄ：コミュニティＩＤ、Ｅ：分類レベルである。
【００７７】
例えば、ユニバーサルＩＤ、端末ＩＤ、端末種別、コミュニティＩＤについて、ＡＮＤ条件、ＯＲ条件、ＦＲＥＥ条件が組み合されてフィルタ条件が設定される。
既に登録されている情報に、所定の分類コード（ＡＢＣＤＥ＝Ａ1Ｂ1Ｃ1Ｄ1Ｅ1）が対応付けられ、この分類コードに対応するフィルタ条件として、例えば、（（Ａ＝Ａ1）ＡＮＤ（Ｃ＝Ｃ1）ＡＮＤ（Ｄ＝Ｄ1））が設定されている場合には、この情報を利用する際のログイン情報（又はこのログイン情報に基づいてルール管理処理において生成された分類コード）に含まれるユニバーサルＩＤ、端末種別、コミュニティＩＤが、それぞれ、Ａ1、Ｃ1、Ｄ1であり、全て一致したときに、送信要求元の受信端末に対して、この情報が提供可能とされる。
【００７８】
この場合、端末ＩＤ及び分類レベルは無視される。この例のフィルタルールでは、登録されている情報のうち、フィルタ条件を満たす該当する情報は全て提供可能とされる。
例えば、フィルタ条件で、Ａ1＝（０００１）、Ｃ1＝（０００１）、Ｄ1＝（０００１）の場合は、ユニバーサルＩＤが（０００１）のユーザが保有する携帯電話機（複数ある場合でも任意）からコミュニティを家族として、ログインしたときに、情報の提供が可能とされる。
【００７９】
このほか、ユニバーサルＩＤのみ、端末種別のみ、コミュニティＩＤのみを抽出したり、ユニバーサルＩＤと端末種別とのＡＮＤで、抽出して用いることも可能である。
なお、フィルタ条件について、ユーザによる指定がない場合は、後述するように、予め設定されたデフォルト値が用いられる。
また、端末情報記憶領域２８ｄには、ユーザ毎（ユニバーサルＩＤ毎）に、保有している受信端末の端末種別、端末ＩＤ等の端末情報が、図８に示すように、端末情報テーブル２８ｔとして記憶されている。
【００８０】
サービス情報管理システム１３は、図９に示すように、提供情報管理サーバ３１と、例えば、情報提供サービス事業者により提供されるブックマーク共有情報や、ＣＭクーポン情報、映像コンテンツ、店舗情報等が蓄積され、それぞれ所定の情報提供サービスを行うためのサービス情報蓄積サーバ３２ａ，３２ｂ，…とを有している。
提供情報管理サーバ３１、サービス情報蓄積サーバ３２ａ，３２ｂ，…は、ハードウェア上の概略構成は、上述したサービス受付サーバ１１やユーザ情報管理サーバ１２等と同様であり、ＣＰＵ等からなり、記憶部に記憶された所定の制御プログラムに従って構成各部を制御する制御部と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種制御プログラムやデータが記憶される記憶部と、所定のプロトコルに従ってデータ通信を行うための通信部とを有している。
【００８１】
提供情報管理サーバ３１は、ブックマーク共有情報提供サービスや、ＣＭクーポン配信サービス、ＶＯＤ（Video On Demand）配信サービス、店舗情報検索サービス等を、ユーザの保有する受信端末に対して提供する。
提供情報管理サーバ３１は、サービス情報蓄積サーバ３２ａ，３２ｂ，…に蓄積された情報（例えば、店舗詳細情報）やサービス機能（例えば、場所検索等）をユーザ毎、端末毎、利用状況（シチュエーション）毎に、情報やサービスをフィルタできるように、分類、管理する。
【００８２】
提供情報管理サーバ３１の記憶部は、サービス情報管理プログラム等の制御プログラムを記憶するプログラム記憶部と、各種情報を記憶する情報記憶部とを有している。
提供情報管理サーバ３１の記憶部のプログラム記憶部に記憶されたサービス情報管理プログラムには、分類コードとサービス識別ＩＤと提供サービスＩＤとを管理して、提供するサービス情報を管理するための手順が記述されている。
また、サービス情報管理プログラムには、サービス受付サーバ１１から登録されている情報の提供要求を受けた場合に、対応するフィルタルールに基づいて、分類コードを検索し、供給可能と判断された情報を、サービス情報蓄積サーバ３２ａ（３２ｂ，３２ｃ，…）から受け取って、サービス受付サーバ１１へ送信するための手順が記述されている。
また、サービス情報管理プログラムには、必要に応じて、ユーザ情報管理サーバ１２に対してユーザプロファイル情報やルール情報の提示を要求するための手順が記憶されている。
【００８３】
提供情報管理サーバ３１の記憶部の情報記憶部には、情報管理テーブルが記憶され、この情報管理テーブルには、情報をフィルタするための分類コードと、サービス情報蓄積サーバ３２ａ（３２ｂ，３２ｃ，…）毎に割り当てられたユニークなサービス識別ＩＤと、各サービス情報蓄積サーバ３２ａ（３２ｂ，３２ｃ，…）が管理し、サービスや情報を識別するためのそれぞれのサービス情報蓄積サーバ３２ａ（３２ｂ，３２ｃ，…）内でユニークな提供サービスＩＤとが対応付けられて記憶されている。
操作端末１４は、図１０に示すように、操作端末本体の構成各部を制御する制御部３４と、制御部３４が実行する処理プログラムや各種データ等を記憶するための記憶部３５と、所定のプロトコルに従ってデータ通信を行うために用いられる通信部３６と、表示部３７と、操作部３８とから概略構成されている。
【００８４】
携帯電話機４ａは、通話機能、例えばインターネットに接続してホームページの閲覧や電子メールの送受信が可能なデータ通信機能のほか、地上波デジタル放送の受信機能を有し、図１１に示すように、当該携帯電話機本体の構成各部を制御する制御部４１と、制御部４１が実行する処理プログラムや各種データ等を記憶するための記憶部４２と、アンテナ４３を介して無線電波の送受信を行い、所定のプロトコルに従って通話やデータ通信を行うために用いられる無線通信部４４と、小型ＴＶアンテナ４５を介して地上波デジタル放送を受信するＴＶ受信部４６と、例えば、受信したホームページや電子メールの内容、待受画面、機能設定画面等が表示される表示部４７と、音声出力部４８と、数字や文字の入力操作等を行うための多数の各種操作キー等からなる操作部４９と、送話音声を入力するマイクロフォンからなる送話部５１と、受話音声を出力するスピーカからなる受話部５２と、着信時等に発光する発光部５３とから概略構成されている。
【００８５】
制御部４１は、ＣＰＵ（中央処理装置）等を有してなり、ブラウザやメーラ等の記憶部４２に記憶された各種処理プログラムを実行し、携帯端末載本体の構成各部を制御する。
記憶部４２は、ＲＯＭ、ＲＡＭ等の半導体メモリ等からなり、制御部４１が実行する各種プログラムや、各種情報等が記憶される。
また、この例では、記憶部４２には、ＴＶ受信部４６出力後のデータ処理に必要な放送視聴のためのプログラム（デバイスドライバ、放送ストリームの受信や各種メディアの分離及び提示のためのミドルウェア、並びに選局等の基本操作を行う視聴機能を実現するためのプログラムやデータ放送を提示及び操作するためのデータ放送ブラウザを含むアプリケーションプログラム等）が記憶されている。
また、ＴＶ受信部４６は、図１２に示すように、チューナ部５４と、チャネルデコーダ部５５とを有している。
表示部４７は、液晶ディスプレイ等からなり、文字や画像を表示するために用いられる。
【００８６】
放送受信装置４ｂは、図１３に示すように、放送受信装置４ｂの構成各部を制御するシステムコントローラ５７と、ＴＶアンテナ５８を介して放送を受信し、ＴＶ（テレビジョン）受像機５９に画像信号及び音声信号を出力する受信部６１と、リモコン装置を有してなりインタフェース部６２を介して操作や設定を行うための操作部６３と、通信部６４とを有してなっている。
なお、この例では、放送受信装置４ｂは、限定受信方式に対応し、鍵管理や、課金処理、契約情報の取得、個人宛てメールの複合等の処理を行うＩＣカード制御部（不図示）を有している。
システムコントローラ５７は、ＣＰＵ等からなり、記憶部に記憶された各種プログラムを実行する主制御部と、ＲＯＭ、ＲＡＭ等の半導体メモリからなる記憶部とを有してなっている。
記憶部は、設定情報等の各種情報が格納された情報記憶領域と、主制御部が実行する制御プログラム等が記憶されたプログラム記憶領域とを有している。
【００８７】
受信部６１は、図１４に示すように、ＴＶアンテナ５８を介して入力された受信信号を選局するためのチューナ６５と、受信信号をアナログ／デジタル変換するＡ／Ｄ（Analog/Degital）コンバータ６６と、入力されたデジタル信号に、例えば、直交周波数分割多重（ＯＦＤＭ：Orthogonal Frequency Division Multiplexing）復調処理を施す復調部６７と、暗号解除処理を行うデスクランブラ（Descrambler）６８と、設定されたビデオデータやオーディオデータ等の各ＰＩＤ（Packet Identification）に従ってフィルタしてビデオデータやオーディオデータを分離するＴＳデマルチプレクサ(Transport Stream Demultiplexer)６９と、ＭＰＥＧ２に規格に準拠してデコード処理を行うデコーダ装置７１と、フォーマット変換部７２と、入力されたビデオデータに例えばアイコンからなる操作用メニュー情報を含む番組サービス情報等を重ね合わせるＯＳＤ（On Screen Display）部７３とを有している。
デコーダ装置７１は、入力されたビデオデータにＭＰＥＧ２方式に従って伸張復号化処理を施すビデオデコーダ７１ａと、入力されたオーディオデータに伸張復号化処理を施すオーディオデコーダ７１ｂとからなっている。
【００８８】
放送受信・記録装置４ｃは、図１５に示すように、放送受信・記録装置４ｃの構成各部を制御するシステムコントローラ７４と、ＴＶアンテナ５８を介して放送を受信し、ＴＶ受像機５９に画像信号及び音声信号を出力する受信部６１と、リモコン装置を有してなりインタフェース部６２を介して操作や設定を行うための操作部６３と、通信部６４と、画像信号及び音声信号を記録する記録部７５とを有してなっている。
記録部６は、図１６に示すように、ＩＤＥ(Integrated device Electronics)インタフェース７６と、ハードディスクドライブ（ＨＤＤ：Hard Disc Drive）７７とを備えてなっている。
【００８９】
パーソナルコンピュータ４ｄは、図１７に示すように、当該携帯電話機本体の構成各部を制御する制御部７８と、制御部７８が実行する処理プログラムや各種データ等を記憶するための記憶部７９と、所定のプロトコルに従ってデータ通信を行う通信部８１と、小型ＴＶアンテナ８２を介して地上波デジタル放送を受信する受信部８３と、表示部８４と、音声出力部８５と、操作部８６とから概略構成されている。
【００９０】
認証システム５は、本人認証を行うためのユーザ認証サーバを有している。
ユーザ認証サーバは、ハードウェア上の概略構成は、サービス受付サーバ１１やユーザ情報管理サーバ１２等と同様であり、ＣＰＵ等からなり、記憶部に記憶された所定の制御プログラムに従って構成各部を制御して、ログインＩＤ及びパスワードを照合して、ユーザ本人であるか否かを判定する本人認証処理や、ユーザに固有の予め設定されたユニバーサルＩＤを発行するユニバーサルＩＤ発行処理を行う制御部と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、本人認証処理プログラムやユニバーサルＩＤ発行処理プログラム等の各種制御プログラムやデータが記憶される記憶部と、所定のプロトコルに従ってデータ通信を行うための通信部とを有している。
【００９１】
ユーザ認証サーバの記憶部は、本人認証処理プログラムやユニバーサルＩＤ発行処理プログラム等の制御プログラムを記憶するプログラム記憶領域と、認証情報テーブル等の各種情報を記憶する情報記憶部とを有している。
本人認証処理プログラムには、サービス受付サーバ１１が受け付け、情報管理センタ２から送られてきたユーザ認証情報としてのログインＩＤとパスワードとを照合して、サービス要求元のユーザの本人認証を行うための手順が記述されている。ここで、同一ユーザであっても受信端末毎に設定されたログインＩＤ及びパスワードについて照合を行う。
また、ユニバーサルＩＤ発行処理プログラムには、サービス要求元のユーザの本人認証が完了した後、認証情報テーブル５ｓにおいてログインＩＤ及びパスワードに対応するユニバーサルＩＤを検索し、サービス要求元のユーザのユニバーサルＩＤとして、情報管理センタ２へ送信するための手順が記述されている。
【００９２】
ユーザ認証サーバの記憶部の情報記憶部には、図１８に示すように、認証情報テーブル５ｓが記憶されている。この認証情報テーブル５ｓには、ユーザ毎に、ユニバーサルＩＤと、各受信端末に対応したログインＩＤ及びパスワードとが記憶されている。ユニバーサルＩＤは、この例の共有情報供給システム１において、要求元の受信端末に依らず、ユーザを一意的に識別するために予め設定されたユーザに固有のＩＤであり、同一ユーザであっても受信端末のログインＩＤ及びパスワードが異なる場合に、ユーザを識別するために用いられる。
【００９３】
課金管理システム６は、サービスに対応した料金の単金と、適用期間等の設定とユーザのサービス利用による固定又は従量の課金計算をリアルタイムで実施する課金・料金管理サーバと、課金管理サービス申請の受付けを行うと共にユーザの情報を管理するユーザ・オーダ管理サーバとを有している。
また、課金・料金管理サーバは、例えば、ユーザがサービス情報蓄積サーバ３２ａ（３２ｂ，３２ｃ，…）が提供する情報や機能を利用する毎に利用料金を算出し、指定された単位で（例えば、一ヶ月毎、すなわち、月締めでの月次処理）にユーザに請求するための処理を行い、ユーザに請求するための利用明細書情報を生成する。
【００９４】
また、課金・料金管理サーバは、例えば月額固定の基本料金、サービス毎、情報毎の利用料金、ユーザ毎、受信端末毎のサービス利用回数等を課金情報として管理する。
また、課金・料金管理サーバは、サービスを提供する情報提供サービス事業者に関する課金管理を行う。すなわち、課金・料金管理サーバは、例えば、情報提供サービス事業者が、サービス情報蓄積サーバ３２ａ（３２ｂ，３２ｃ，…）によって、サービスを行う場合、サービスの利用者想定数、同時アクセス想定数に基づいて、設定される基本料金、提供サービス情報の更新に関して、更新回数に応じた課金料金等を管理する。
【００９５】
ネットワーク７は、図１９に示すように、例えば、移動通信事業者が管理する通信管理センタ８７を介して、インターネット８８に接続可能な移動通信網８９を有してなっている。
この例では、ユーザ宛ての電子メールは、通信管理センタ８７を経由し、最寄の基地局９１を介して携帯端末機４ａに供給される。
【００９６】
通信管理センタ８７は、図２０に示すように、ユーザ情報等を管理する情報管理サーバ９２と、移動通信網８９を例えばインターネット８８に接続するための接続処理サーバ９３と、例えば携帯端末機４ａから送信されてきた電子メールや携帯端末機４ａへ送信された電子メールを蓄積し管理するメールサーバ９４とを有している。
情報管理サーバ９２（接続処理サーバ９３、メールサーバ９４）は、ＣＰＵ等からなり、記憶部に記憶された所定の制御プログラムに従って構成各部を制御する制御部と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部と、所定のプロトコルに従ってデータ通信を行うための通信部とを有している。
情報管理サーバ９２の記憶部には、各携帯端末機４ａの現在位置情報や、各ユーザの加入者番号及び課金情報を含むユーザ情報等が常時更新された状態で記憶されている。
【００９７】
次に、図２１乃至図２５を参照して、上記構成の共有情報供給システム１の動作について説明する。
まず、例として、携帯電話機４ａによって、地上波デジタル放送の１ＳＥＧ（１セグメント）放送を受信する場合に、この例のサービス情報管理システム１３から、情報提供サービスを受けるときになされるログイン処理について説明する。
放送局システム３から、１ＳＥＧ放送のうちのデータ放送によって、例えば、店舗情報検索サービスや、ＣＭクーポン配信サービス、ブックマーク共有情報提供サービス、ＶＯＤ配信サービス等を含む提供されるサービスを選択するためのサービス一覧が放送され（ステップＳＡ１１（図２１））、携帯電話機４ａが、このサービス一覧を受信し、所望のサービスが選択されると、携帯電話機４ａの表示部４７にログイン画面が表示される（ステップＳＡ１２）。
【００９８】
なお、このログイン画面の表示内容は、データ放送において、サービス一覧と共に放送される。また、データ放送は、テレビジョンの映像、音声とは別の映像情報や音声情報、文字情報を１つの画面上に表示する放送であり、放送用の記述言語であるＢＭＬ（Broadcast Markup Language）を用いて送出される。ログイン画面の表示内容もこのＢＭＬによって記述される。
【００９９】
ユーザが、ログイン画面にログインＩＤ及びパスワードを操作部４９から入力すると、制御部４１は、ログインＩＤ及びパスワードを、ネットワーク７を介して情報管理センタ２に送信する（ステップＳＡ１３）。情報管理センタ２では、サービス受付サーバ１１の制御部１６が、ログイン処理を実行し、携帯電話機４ａから受け取ったログインＩＤ及びパスワードを認証システム５へ送信する（ステップＳＡ１４）。
認証システム５では、ユーザ認証サーバの制御部が、携帯電話機４ａでのログインＩＤとパスワードとが一致するか否かを判断してユーザの認証処理を行い（ステップＳＡ１５）、本人であることが認証されると、このユーザを一意的に識別するためのユニバーサルＩＤを、認証情報テーブル５ｓにおいてログインＩＤ及びパスワードに対応するユニバーサルＩＤを検索して特定し、このユニバーサルＩＤを情報管理センタ２へ送信する（ステップＳＡ１６）。
【０１００】
情報管理センタ２では、サービス受付サーバ１１の制御部１６が、ログイン処理において、このユニバーサルＩＤを受け取り、さらに、ログイン処理では、端末ＩＤ取得処理における端末ＩＤの取得を求める（ステップＳＡ１７）。
制御部１６は、端末ＩＤ取得処理で、携帯電話機４ａに端末ＩＤの送信を要求する（ステップＳＡ１８）。携帯電話機４ａでは、制御部４１が、端末ＩＤを情報管理センタ２へ送信する（ステップＳＡ１９）。
情報管理センタ２では、サービス受付サーバ１１の制御部１６が、端末ＩＤ取得処理において、携帯電話機４ａから端末ＩＤを受け取り、端末ＩＤ取得処理では、この端末ＩＤをログイン処理へ渡す（ステップＳＡ２０）。
なお、この端末ＩＤを、ログインＩＤ及びパスワードと共に、ＢＭＬによって記述されるログイン文書に含めて、携帯電話機４ａから情報管理センタ２へ送信するようにしても良い。
【０１０１】
次に、サービス受付サーバ１１の制御部１６は、ログイン処理において、ユニバーサルＩＤと及び端末ＩＤをデフォルト値管理処理へ渡す（ステップＳＡ２１）。制御部１６は、デフォルト値管理処理において、端末ＩＤをユーザ情報管理サーバ１２に通知する（ステップＳＡ２２）。
ユーザ情報管理サーバ１２の制御部２１は、端末情報管理処理において、端末ＩＤに対応する受信端末の端末種別を特定し、サービス受付サーバ１１へ通知する（ステップＳＡ２３）。
【０１０２】
サービス受付サーバ１１の制御部１６は、デフォルト値管理処理において、特定されてた端末種別を取得し、さらに、ユニバーサルＩＤに対応するデフォルト値としてのコミュニティＩＤを特定し、端末種別及びコミュニティＩＤをログイン処理へ渡す（ステップＳＡ２４）。
制御部１６は、ログイン処理において、端末種別及びコミュニティＩＤを渡され、ログインが完了すると、ユニバーサルＩＤと端末種別とコミュニティＩＤとを要求受付処理へ渡す（ステップＳＡ２５）。
制御部１６は、要求受付処理において、渡されたユニバーサルＩＤ、端末種別、及びコミュニティＩＤを、記憶部１７の要求受付情報記憶領域２６ｄに記憶する（ステップＳＡ２６）。
【０１０３】
次に、情報提供サービスとして、サービス情報蓄積サーバ３２ａによって提供されるブックマーク共有情報提供サービスを、携帯電話機４ａを用いて選択し、かつ、携帯電話機４ａからブックマークの登録を行い、放送受信装置４ｂを用いて受け取る場合について説明する。
放送局システム３から、１ＳＥＧ放送によって、例えば紀行番組が放送されている場合に、風景等の紀行映像と共に、データ放送によって、宿泊施設や、観光名所、飲食店等に関する詳細情報へのリンク情報（ＵＲＬ情報）がＢＭＬで記述された文字情報として放送される（ステップＳＢ１１（図２２））。
【０１０４】
携帯電話機４ａが、このリンク情報を受信し、ユーザが興味を引かれた詳細情報へのリンク情報を選択してブックマーク登録操作を行うと、サービス種別としてブックマークサービスを選択するブックマーク登録要求と共に、リンク情報（例えば、宿泊施設に関する詳細情報を得るためのＵＲＬ情報）が、ネットワーク７を介して、情報管理センタ２へ送られる（ステップＳＢ１２）。
情報管理センタ２では、サービス受付サーバ１１の制御部１６は、要求受付処理において、ブックマーク登録要求とリンク情報とを受け取ると、ユニバーサルＩＤ（例えば、０００１）、端末種別（例えば、携帯電話機）、コミュニティＩＤ（例えば、コミュニティが家族）を記憶部１７の要求受付情報記憶領域２６ｄから読み出し、ユーザ情報管理サーバ１２へ通知する（ステップＳＢ１３）。
【０１０５】
次に、ユーザ情報管理サーバ１２の制御部２１は、ルール管理処理において、ユニバーサルＩＤ、端末種別、コミュニティＩＤを受け取り、対応する分類コードを生成して、サービス受付サーバ１１へ通知する（ステップＳＢ１４）。
サービス受付サーバ１１の制御部１６は、要求受付処理において、分類コードを受け取ると、サービス種別、分類コード、ＵＲＬ情報を、サービス情報管理システム１３へ通知する（ステップＳＢ１５）。
【０１０６】
サービス情報管理システム１３では、情報提供管理サーバ３１の制御部は、サービス種別、分類コード及びＵＲＬ情報を受け取ると、ＵＲＬ情報に対応し、サービス情報蓄積サーバ３２ａ内で一意的な識別ＩＤを割り当て（ステップＳＢ１６）、分類コードに対応させて管理する。
情報提供管理サーバ３１の制御部は、ＵＲＬ情報及び分類コードを、サービス情報蓄積サーバ３２ａに通知する（ステップＳＢ１７）。
【０１０７】
サービス情報蓄積サーバ３２ａは、ＵＲＬ情報及び分類コードを受け取ると、ブックマーク登録を行う（ステップＳＢ１８）。
なお、サービス情報蓄積サーバ３２ａの制御部は、その記憶部内にＵＲＬ情報が既に存在する場合は、情報提供管理サーバ３１に対して、既存の識別ＩＤを通知する。この場合、情報提供管理サーバ３１の制御部は、識別ＩＤを変更（訂正）する。
情報提供管理サーバ３１の制御部は、課金管理システム６へユニバーサルＩＤを送信するとともに、ブックマーク登録完了通知を行う（ステップＳＢ１９）。
課金管理システム６では、課金・料金管理サーバの制御部が、課金処理として、ユニバーサルＩＤに対応するユーザのブックマーク登録に関する利用回数に１を加算する（ステップＳＢ２０）。
【０１０８】
こうして、携帯電話機４ａから登録したブックマーク情報（例えば、宿泊施設に関する詳細情報を得るためのＵＲＬ情報）を、放送受信装置４ｂを用いて利用する。ここで、放送受信装置４ｂのデフォルト情報としてのコミュニティは、例えば、「家族」とされているものとする。
まず、放送受信装置４ｂによって、サービス情報管理システム１３から、情報提供サービス（この場合は、ブックマーク共有情報提供サービス）を受けるためのログイン処理が行われる。
【０１０９】
これによって、制御部１６は、要求受付処理において、ユニバーサルＩＤ（例えば、０００１）、端末種別（例えば、放送受信装置（固定ＴＶ受信機））、コミュニティＩＤ（例えば、コミュニティが家族）を取得し、記憶部１７の要求受付情報記憶領域２６ｄに記憶する。
ユーザの選択操作により、放送受信装置４ｂのコントローラ５７は、情報管理センタ２に対してブックマーク情報送信要求を行う（ステップＳＣ１１（図２３））。
情報管理センタ２では、サービス受付サーバ１１の制御部１６は、要求受付処理で、ユニバーサルＩＤ、端末種別、及びコミュニティＩＤを、ユーザ情報管理サーバ１２へ通知する（ステップＳＣ１２）。
【０１１０】
ユーザ情報管理サーバ１２の制御部２１は、ルール管理処理で、通知されたユニバーサルＩＤ、端末種別、及びコミュニティＩＤに基づいて、このユーザが、放送受信装置から家族で視聴するものとしてログインした場合の分類コードに対応するフィルタルールを検索し（ステップＳＣ１３）、フィルタ条件をサービス受付サーバ１１へ通知する（ステップＳＣ１４）。
ここで、制御部２１は、ルール管理処理において、例えば、ユニバーサルＩＤが０００１であるユーザで、コミュニティが家族である分類コードに対応する全ての情報を提示するというフィルタルールに基づいて管理処理を行うものとする。ルール情報記憶領域２８ｃには、分類コードに対応付けられてフィルタルールが記憶されている。
【０１１１】
サービス受付サーバ１１の制御部１６は、要求受付処理において、フィルタ条件（（ユニバーサルＩＤ：０００１）ＡＮＤ（コミュニティ：家族））を、サービス情報管理システム１３へ通知する（ステップＳＣ１５）。
サービス情報管理システム１３では、情報提供管理サーバ３１の制御部は、分類コードを対応するフィルタ条件で検索し（ステップＳＣ１６）、該当する分類コードに対応した識別ＩＤリストを生成する（ステップＳＣ１７）。次に、情報提供管理サーバ３１の制御部は、該当する識別ＩＤに対応するブックマーク情報をサービス情報蓄積サーバ３２ａに対して要求する（ステップＳＣ１８）。
【０１１２】
次に、サービス情報蓄積サーバ３２ａの制御部は、フィルタ条件にマッチするＵＲＬ情報リストを生成し、情報提供管理サーバ３１へ通知する（ステップＳＣ１９）。
情報提供管理サーバ３１の制御部は、受け取ったＵＲＬ情報リストをサービス受付サーバ１１へ通知する（ステップＳＣ２０）。
サービス受付サーバ１１の制御部１６は、要求応答処理において、ＵＲＬ情報リストを受け取ると、放送受信装置４ｂへ通知する（ステップＳＣ２１）。
次に、放送受信装置４ｂのコントローラ５７は、ＵＲＬ情報を受信すると、ＴＶ受像機５９に表示させる（ステップＳＣ２２）。
【０１１３】
情報提供管理サーバ３１は、課金管理システム６に対して、ユニバーサルＩＤ（例えば、（０００１））を送信するとともに、ユニバーサルＩＤが（０００１）のユーザがＵＲＬ情報リスト供給のサービスを受けたことを示すＵＲＬ情報リスト送信完了通知を行う（ステップＳＣ２３）。
課金管理システム６は、課金・料金管理サーバの制御部が、課金処理として、ユニバーサルＩＤに対応するユーザのブックマーク利用に関する利用回数に１を加算する（ステップＳＣ２４）。
【０１１４】
以上の説明では、例えば、ログイン時にコミュニティ等をユーザが指定せず、予め設定されたデフォルト値を用いる場合について述べたが、図２４を参照して、デフォルト値を変更する場合について述べる。
この例では、操作中の受信端末と別の受信端末のデフォルト値を変更することが可能である。パーソナルコンピュータ４ｄから携帯電話機４ａのデフォルト値（例えば、コミュニティ）を変更する場合について述べる。
【０１１５】
まず、パーソナルコンピュータ４ｄからのログイン処理によって、記憶部１７の要求受付情報記憶領域２６ｄには、ユニバーサルＩＤ（例えば、（０００１）、端末種別（例えば、パーソナルコンピュータ）、及びデフォルト値としてのコミュニティＩＤ（例えば、コミュニティ：家族）が記憶される。
パーソナルコンピュータ４ｄの制御部７８が、デフォルト値一覧閲覧要求を情報管理センタ２に対して行うと（ステップＳＤ１１（図２４））、情報管理センタ２では、サービス受付サーバ１１の制御部１６は、要求受付処理において、デフォルト管理処理へユニバーサルＩＤを渡し、デフォルト値管理処理におけるデフォルト値一覧の生成を求める（ステップＳＤ１２）。
次に、制御部１６は、デフォルト管理処理で、対応するデフォルト値を検索し（ステップＳＤ１３）、デフォルト値一覧（例えば、ユニバーサルＩＤが（０００１）であるユーザのデフォルト値（端末ＩＤ、端末種別、コミュニティＩＤ）を、要求応答処理へ渡す（ステップＳＤ１４）。
【０１１６】
制御部１６は、要求応答処理で、デフォルト値一覧を、パーソナルコンピュータ４ｄへ通知する（ステップＳＤ１５）。
パーソナルコンピュータ４ｄは、デフォルト値一覧を受信し、制御部７８は、表示部８４に表示させる（ステップＳＤ１６）。
次に、ユーザによって、例えばコミュニティを家族から個人に変更するように変更操作がなされると、制御部７８は、情報管理センタ２に対してデフォルト値変更を要求する（ステップＳＤ１７）。
情報管理センタ２では、サービス受付サーバ１１の制御部１６は、要求受付処理で、デフォルト値管理処理におけるデフォルト値変更を求める（ステップＳＤ１８）。サービス受付サーバ１１は、デフォルト管理処理で、デフォルト値を変更する（ステップＳＤ１９）。これによって、携帯電話機４ａのコミュニティのデフォルト値が変更される。
【０１１７】
次に、図２５を参照して、パーソナルコンピュータ４ｄからフィルタルールを変更する場合について述べる。
まず、パーソナルコンピュータ４ｄからのログイン処理が行われた後、パーソナルコンピュータ４ｄの制御部７８が、フィルタルールリスト閲覧要求を、情報管理センタ２に対して行うと、（ステップＳＥ１１（図２５））、サービス受付サーバ１１の制御部１６は、要求受付処理において、ルール管理処理へ、要求元のユーザのユニバーサルＩＤを通知し、対応するフィルタルールリストを要求する（ステップＳＥ１２）。
【０１１８】
次に、ユーザ情報管理サーバ１２の制御部２１は、ルール管理処理で、記憶部２２のルール情報記憶領域２８ｃから、受け取ったユニバーサルＩＤに対応するフィルタルールリストを読み出し、サービス受付サーバ１１へ通知する（ステップＳＥ１３）。
このルール情報記憶領域２８ｃに記憶されたルール情報テーブル２８ｓには、ユニバーサルＩＤ、端末ＩＤ、端末種別、コミュニティＩＤに対応付けられてフィルタルールが記憶されている。
【０１１９】
サービス受付サーバ１１の制御部１６は、要求応答処理で、受け取ったフィルタルールリストをパーソナルコンピュータ４ｄへ通知する（ステップＳＥ１４）。
パーソナルコンピュータ４ｄは、フィルタルールリストを受信すると、制御部７８は、ルール情報テーブル２８ｓの内容を含む操作画面を表示部８４に表示させる（ステップＳＥ１５）。
ユーザが、端末毎、コミュニティ毎に表示された情報のフィルタ設定を行うと、制御部７８は、フィルタルールリスト登録（変更）を情報管理センタ２に要求する（ステップＳＥ１６）。
【０１２０】
例えば、端末ＩＤ、端末種別、コミュニティＩＤについて、ＡＮＤ条件、ＯＲ条件、ＦＲＥＥ条件を設定する。携帯電話機４ａからコミュニティが個人でログインした場合のみ、情報を提示するときは、フィルタルールとしては、分類コードの端末種別（携帯電話機）及びコミュニティＩＤ（コミュニティが個人）が、共に一致（ＡＮＤ条件）し、端末ＩＤは特に制限無し（ＦＲＥＥ条件）とする。
情報管理センタ２では、サービス受付サーバ１１の制御部１６は、要求受付処理において、フィルタルールリスト登録要求を受けると、ユーザ情報管理サーバ１２にフィルタルールリスト登録（変更）を要求する（ステップＳＥ１７）。
ユーザ情報管理サーバ１２の制御部２１は、ルール管理処理において、フィルタルールリスト登録要求を受けると、フィルタルールを登録（変更）する（ステップＳＥ１８）。
ここで、ユーザがフィルタ条件を個々に指定しない場合には、予め設定されたデフォルト値を用いることとなる。
【０１２１】
ユーザに対してユニバーサルＩＤが割り当られたとき（新規ユーザの登録時）に、ユーザ情報管理サーバ１２の制御部２１は、ルール管理処理において、ユーザプロファイル管理処理からユーザプロファイルを渡され、一般的な端末種別（例えば、携帯電話機及び放送受信装置）について、ユーザプロファイルに基づいてコミュニティＩＤを生成し、デフォルト情報としてのフィルタルールを生成する。
例えば、ユーザプロファイルにおいて、ユーザが既婚者の場合は、コミュニティとして、家族及び個人に関するルールを生成する。
なお、ユーザ情報管理サーバ１２の制御部２１は、ユーザプロファイル管理処理において、新規ユーザが増えた場合に、課金管理システム６に対して、新規のユーザのユニバーサルＩＤを通知し、課金管理システム６は、新規のユーザに対する課金管理情報を生成する。
【０１２２】
このように、この例の構成によれば、ユーザが同一である限り共通のユニバーサルＩＤが設定されるので、例えば、携帯電話機４ａから、ネットワーク７を介して情報管理センタ２に対して要求し登録した情報を、放送受信装置４ｂを用いて取り出して利用する等、受信端末が異なっても、情報の登録及び受信を、自在に、簡単にかつ円滑に行うことができ、受信端末間で所定の共有情報の提供を受けることができる。
したがって、例えば、同一のユーザが複数の受信端末を用いる場合に、受信端末に依らずに、異なる受信端末の間でＵＲＬ情報等の情報の共有が可能で、ブックマークサービス等の情報提供サービスを円滑に利用することができる。
【０１２３】
また、受信端末毎に、受信端末種別やコミュニティ（視聴グループ）に応じてフィルタルールを設定できるので、例えば、受信端末種別や、視聴場所、一緒に視聴する者によって、視聴内容を変更することができる。
したがって、受信端末毎に、想定される使用状況（視聴するシチュエーション）に合わせて、同一ユーザ（視聴者）であっても、視聴内容の範囲を設定及び変更することができる。すなわち、使用状況に応じて、登録する内容、サービス情報管理システム１３からの情報提供サービスの内容、利用したい情報を調整することが可能である。
【０１２４】
また、フィルタルールの変更や、コミュニティ等のデフォルト値の変更を、たとえ別の受信端末の設定値であっても、変更することができるので、受信端末を使用するユーザの変更や、受信端末の使用状況の変化（例えば、コミュニティの変更）等に対して、臨機応変にかつ簡単に対処することができる。
【実施例２】
【０１２５】
図２６は、この発明の第２実施例である共有情報供給システムの動作を説明するための処理手順図である。
この例が上述した実施例１と大きく異なるところは、受信端末を所有するユーザに加えて、ＣＭクーポン情報等の情報の配信元がフィルタ条件を設定して、受信を希望するユーザのうち、所定の条件を満たすユーザの受信端末に対して、例えば、個別にＣＭクーポンを配信可能なように構成した点である。
これ以外の構成は、上述した実施例１の構成と略同一であるので、その説明を簡略にする。
【０１２６】
この例の共有情報供給システムのサービス情報管理システム１３では、サービス情報蓄積サーバ３２ｂの記憶部には、提供するＣＭ情報毎に、識別ＩＤ、ターゲットプロファイル（年齢、性別等）、提供スケジュール（期間、提供時刻、時間情報等）が設定されて、ＣＭ情報が記憶されている。
情報提供管理サーバ３１の制御部は、識別ＩＤに対して分類コードの対応を管理する。情報提供管理サーバ３１の記憶部には、識別ＩＤに対応させて分類コードが記憶され、分類コードのうち、分類レベルＥは、ＣＭ情報のターゲットプロファイルと、ユーザのプロファイルとのマッチングを行うために設定される。
【０１２７】
例えば、分類レベルＥが（００００）以外の値に設定されている場合は、情報提供管理サーバ３１は、ユーザ情報管理サーバ１２と連携し、ルール管理処理で提供されるフィルタ条件のほかに、プロファイルのマッチング処理を行う。
例えば、化粧品ＣＭの場合、ターゲットプロファイルとして女性、年齢層Ｆ２以上が設定される。この化粧品ＣＭの分類コードは、端末種別として、携帯電話機、コミュニティとして個人、分類レベルには女性のプロファイルを示す（１１１１）が設定される。
ここで、携帯電話機４ａからユーザがコミュニティを個人としてログインするものとする。フィルタルールとしては、分類コードの端末種別（携帯電話機）及びコミュニティＩＤ（コミュニティ：個人）が、共に一致（ＡＮＤ条件）し、端末ＩＤは特に制限無し（ＦＲＥＥ条件）とする。
【０１２８】
次に、図２６を参照して、上記構成の共有情報供給システムの動作について説明する。
放送システム３から、１ＳＥＧ放送において、データ放送によって、ＣＭ提供情報が放送され（ステップＳＦ１１（図２６））、携帯電話機４ａが、このＣＭ提供情報を受信し、ユーザによって選択操作されると、ログイン画面が表示される。
このＣＭ提供情報は、ＢＭＬで記述されて放送され、ＣＭ情報は、ネットワーク７経由で、携帯電話機４ａに送られることとなる。
【０１２９】
ユーザが、ログイン画面にログインＩＤとパスワードとを入力すると、制御部４１は、ログインＩＤとパスワードと端末ＩＤとを、ネットワーク７を介して情報管理センタ２に送信する（ステップＳＦ１２）。情報管理センタ２では、サービス受付サーバ１１は、制御部１６が、ログイン処理を実行し、ログインＩＤ及びパスワードを認証システム５へ送信する。
認証システム５では、ユーザ認証サーバの制御部が、携帯電話機４ａでのログインＩＤとパスワードとが一致するか否かを判断してユーザの認証処理を行い、本人であることが認証されると、このユーザを一意的に識別するためのユニバーサルＩＤを、認証情報テーブル５ｓにおいてログインＩＤ及びパスワードに対応するユニバーサルＩＤを検索して特定し、このユニバーサルＩＤを情報管理センタ２へ送信する。
【０１３０】
情報管理センタ２では、サービス受付サーバ１１は、制御部１６が、ログイン処理において、端末ＩＤをユーザ情報管理サーバ１２へ通知する（ステップＳＦ１３）。
次に、ユーザ情報管理サーバ１２の制御部２１は、端末情報管理処理において、対応する端末種別をサービス受付サーバ１１へ送信する（ステップＳＦ１４）。
サービス受付サーバ１１の制御部１６は、ログイン処理において、ユニバーサルＩＤと端末種別とを要求受付処理へ渡す（ステップＳＦ１５）。制御部１６は、要求受付処理において、記憶部１７の要求受付情報記憶領域２６ｄに、ユニバーサルＩＤ及び端末種別を記憶させる。要求受付情報記憶領域２６ｄには、コミュニティＩＤ（例えば、コミュニティのデフォルト値：個人）も記憶されている。
【０１３１】
次に、サービス受付サーバ１１の制御部１６は、要求受付処理において、サービス情報管理システム１３に対して、ＣＭ提供を要求する（ステップＳＦ１６）。
サービス情報管理システム１３では、情報提供管理サーバ３１の制御部は、ユーザ情報管理サーバ１２に対して、フィルタルールの提示を要求する（ステップＳＦ１７）。
ユーザ情報管理サーバ１２の制御部２１は、ルール管理処理において、サービス情報管理システム１３へフィルタルールを通知する（ステップＳＦ１８）。
【０１３２】
サービス情報管理システム１３では、情報提供管理サーバ３１の制御部は、分類コード（ＡＢＣＤＥ＝ａａａａｂｂｂｂｃｃｃｃｄｄｄｄｅｅｅｅ）のうち、分類レベルＥ（＝ｅｅｅｅ）を除いた（ＡＢＣＤ＝ａａａａｂｂｂｂｃｃｃｃｄｄｄｄ）について、提示ＣＭ情報のフィルタ処理を行う（ステップＳＦ１９）。
次に、情報提供管理サーバ３１の制御部は、（ＡＢＣＤ）についてフィルタ条件に適合する場合には、分類レベルＥについて調べる。すなわち、情報提供管理サーバ３１の制御部は、分類レベルＥが（００００）以外の場合、例えば、分類レベルＥ＝（１１１１）が設定されているときは、ユーザ情報管理サーバ１２に対してプロファイル照会を行う（ステップＳＦ２０）。
【０１３３】
ユーザ情報管理サーバ１２の制御部２１は、ユーザプロファイル管理処理において、対応するユーザのプロファイルを抽出しサービス情報管理システム１３へ回答する（ステップＳＦ２１）。
サービス情報管理システム１３では、情報提供管理サーバ３１の制御部は、プロファイルを受け取り、ユーザが女性で、かつ、Ｆ２以上であるか否か判断する。情報提供管理サーバ３１の制御部は、ユーザが女性で、かつ、Ｆ２以上であり、プロファイルの条件にマッチすると判断した場合は、分類コードに対応する識別ＩＤのＣＭ提示を、サービス情報蓄積サーバ３２ｂに対して要求する（ステップＳＦ２２）。この場合、同一の分類コードを持つＣＭ情報が複数あることを想定する。
【０１３４】
サービス情報蓄積サーバ３２ｂは、識別ＩＤに対応するＣＭ情報から所定の１つのＣＭ情報を選択し、このＣＭ情報をサービス受付サーバ１１へ通知する（ステップＳＦ２３）。
サービス受付サーバ１１の制御部１６は、要求応答処理において、ＣＭ情報を受け取り、携帯電話機４ａへ送信する（ステップＳＦ２４）。携帯電話機４ａは、ＣＭ情報を受信すると、表示部４７に表示させる（ステップＳＦ２５）。
情報提供管理サーバ３１の制御部は、課金管理システム６に対して、所定の識別ＩＤを持つＣＭ情報を所定のユニバーサルＩＤを持つユーザに提示したことを示すＣＭ提示完了通知を行う（ステップＳＦ２６）。
【０１３５】
課金管理システム６では、課金・料金管理サーバの制御部が、課金処理として、ユニバーサルＩＤに対応するユーザのＣＭ提示サービスに関する利用回数に１を加算する（ステップＳＦ２７）。
なお、以上の説明では、端末ＩＤが取得可能で、ユーザの特定が可能な場合について述べたが、端末ＩＤが取得できない場合には、ユーザにプロファイルを入力してもらい、ルール管理処理で分類レベルに変換するようにしても良い。
また、情報のうち、分類コードのフィルタを行うために不足している情報があった場合には、その情報に関しては、フィルタ条件を無視するようにする。
【０１３６】
この例の構成によれば、上述した実施例１と略同様の効果を得ることができる。
加えて、サービスを提供するサービス情報提供事業者も、例えば、ターゲットを絞って効率的に広告情報を伝達できるので、購買意欲を引き出して販売促進のために活用することができる。
【実施例３】
【０１３７】
図２７は、この発明の第３実施例である共有情報供給システムの動作を説明するための処理手順図である。
この例が上述した実施例１と大きく異なるところは、放送局システムから配信されるコンテンツを変更追加可能なように構成した点である。
これ以外の構成は、上述した実施例１の構成と略同一であるので、その説明を簡略にする。
【０１３８】
この例の共有情報供給システムのサービス情報管理システム１３では、サービス情報蓄積サーバ３２ｃの記憶部には、放送事業者がＶＯＤ配信サービスを行うための映画等の映像コンテンツが蓄積されている。この映像コンテンツは、定期的に更新される。この例では、放送事業者が情報提供サービス事業者を兼ねる。
【０１３９】
次に、図２７を参照して、上記構成の共有情報供給システムの動作について説明する。
まず、放送局システム３から、コンテンツ更新要求が送信され（ステップＳＧ１１（図２７））、操作端末１４から、放送事業者の指定により、サービス情報蓄積サーバ３２ｃ内での識別ＩＤと、分類コードを登録するためのフィルタ条件とが設定される（ステップＳＧ１２）。
ここで、例えば、携帯電話機からの視聴のみに対応させる場合には、フィルタ条件を携帯電話機のみとする分類コードが割り当てられる。
【０１４０】
情報提供管理サーバ３１に新規の情報を登録する場合に、フィルタ条件と識別ＩＤとを、操作端末１４から操作画面を用いて設定することにより、情報提供管理サーバ３１は、分類コードを生成し（ステップＳＧ１３）、識別ＩＤとの対応を追加する。
次に、情報提供管理サーバ３１は、サービス情報蓄積サーバ３２ｃに、識別ＩＤと、新規コンテンツ追加とを通知する（ステップＳＧ１４）。
サービス情報蓄積サーバ３２ｃは、新規コンテンツ追加通知を受信する（ステップＳＧ１５）。
情報提供管理サーバ３１は、課金管理システム６に対して、ＶＯＤ配信サービスを提供しているサービス情報蓄積サーバ３２ｃに対して、新規コンテンツの追加が完了したことを、識別ＩＤと共に通知する（ステップＳＧ１６）。
課金管理システム６は、課金・料金管理サーバの制御部が、課金処理として、新規情報の追加に関する利用回数に１を加算する（ステップＳＧ１７）。
【０１４１】
この例の構成によれば、上述した実施例１と略同様の効果を得ることができる。
加えて、例えば、サービス情報提供事業者としての放送事業者も、配信先を絞って効率的にコンテンツを配信することができる。
【実施例４】
【０１４２】
この例が上述した実施例１と大きく異なるところは、実施例１ではコミュニティ等を受信端末毎に設定したのに対して、同一受信端末であっても、例えば、時間や場所等によって、自動的に変更可能なように構成した点である。
これ以外の構成は、上述した実施例１の構成と略同一であるので、その説明を省略する。
【０１４３】
この例の構成によれば、上述した実施例１と略同様の効果を得ることができる。加えて、状況に応じてユーザが操作して変更しなくても、例えば、予め定めたスケジュールに従って、自動的にコミュニティ等を変更することができる。
【０１４４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、フィルタルールに適合した情報を全て表示させる場合について述べたが、設定に応じて制限された内容が表示されるようにフィルタルールを定めるようにしても良い。
また、例えば、サービス受付サーバは、単数とは限らず複数設けても良いし、また、各サーバは、集中させて配置しても、ネットワーク上に分散させて配置しても良い。
また、本人認証では、パスワードを用いる場合に、ワンタイムパスワード（使捨てパスワード）としても良い。また、パスワード等はＷＷＷ（World Wide Web）のＳＳＬ（Secure Sockets Layer）を用いた機密保護機能によって送信するようにしても良い。
【０１４５】
また、情報提供管理サーバ３１に、サービス情報蓄積サーバと、このサーバで提供するサービス、情報を登録することによって、サービス情報蓄積サーバを増設することができる。
また、単一の受信端末をコミュニティに属する複数の者が用いても良いし、この場合、各人で互いに異なるログインＩＤ及びパスワードを用い、共通のユニバーサルＩＤを設定しても良い。すなわち、ユーザが異なっても、共通のユニバーサルＩＤを設定するようにしても良い。ユニバーサルＩＤが同一であれば、同一ユーザとみなしてして扱うことによって、複数のユーザ間で同一の受信端末を容易に共用することができる。
また、情報提供管理サーバ３１が、情報供給可否判定を実行する場合について述べたが、情報供給可否判定手段を独立に設けるようにしても良い。
【０１４６】
また、フィルタルール変更を実施した場合に、登録済の情報に対応した分類コードの訂正を行うようにしても良い。
また、課金管理システム６において、ユーザの利用情報を収集するための課金メディエーション管理サーバを独立させて設けるようにしても良い。
また、実施例２で、ＣＭクーポン情報を供給するサービス情報蓄積サーバ３２ｂに対応させて、ユーザ情報を収集して、ユーザの嗜好を分析する嗜好管理サーバを設けても良い。
また、フィルタルールは、予め策定されたポリシーが反映されるように、設定しても良い。
また、フィルタルールを例えば受信端末に応じて設定する場合には、ユニバーサルＩＤの設定を省略するようにしても良い。
【産業上の利用可能性】
【０１４７】
本人認証として、パスワードによる認証以外に、トークンやバイオメトリックスによって認証を行う場合や、ＰＫＩ（Public Key Infrastructure）を用いて行う場合に適用できる。また、携帯型の受信端末として、携帯電話機のほか、データ通信機能を有する簡易型携帯電話（ＰＨＳ）端末や、携帯情報端末（ＰＤＡ）、携帯型のコンピュータを用いる場合に適用できる。また、ネットワークとしては、移動通信網のほか、固定網を含む場合に適用できる。
【図面の簡単な説明】
【０１４８】
【図１】この発明の第１実施例である共有情報供給システムの構成を示す図である。
【図２】同共有情報供給システムの情報管理センタの構成を示すブロック図である。
【図３】同情報管理センタのサービス受付サーバ及びユーザ情報管理サーバの構成を示すブロック図である。
【図４】同サービス受付サーバの記憶部の構成を示すブロック図である。
【図５】同サービス受付サーバの記憶部のデフォルト情報記憶領域に記憶されたデフォルト情報テーブルの例を示す図である。
【図６】同ユーザ情報管理サーバの記憶部の構成を示すブロック図である。
【図７】同ユーザ情報管理サーバの記憶部のルール情報記憶領域に記憶されたルール情報テーブルの例を示す図である。
【図８】同ユーザ情報管理サーバの記憶部の端末情報記憶領域に記憶された端末情報テーブルの例を示す図である。
【図９】同情報管理センタのサービス情報管理システムの構成を示すブロック図である。
【図１０】同情報管理センタの操作端末の構成を示すブロック図である。
【図１１】同共有情報供給システムの携帯電話機の構成を示すブロック図である。
【図１２】同携帯電話機のＴＶ受信部の構成を示すブロック図である。
【図１３】同共有情報供給システムの放送受信装置の構成を示すブロック図である。
【図１４】同放送受信装置の受信部の構成を示すブロック図である。
【図１５】同共有情報供給システムの放送受信・記録装置の構成を示すブロック図である。
【図１６】同放送受信・記録装置の受信部の構成を示すブロック図である。
【図１７】同共有情報供給システムのパーソナルコンピュータの構成を示すブロック図である。
【図１８】同共有情報供給システムの認証システムの認証サーバの記憶部に記憶された認証情報テーブルの例を示す図である。
【図１９】同共有情報供給システムのネットワークの構成を示す図である。
【図２０】同ネットワークの通信管理センタ構成を示すブロック図である。
【図２１】同共有情報供給システムの動作を説明するための処理手順図である。
【図２２】同共有情報供給システムの動作を説明するための処理手順図である。
【図２３】同共有情報供給システムの動作を説明するための処理手順図である。
【図２４】同共有情報供給システムの動作を説明するための処理手順図である。
【図２５】同共有情報供給システムの動作を説明するための処理手順図である。
【図２６】この発明の第２実施例である共有情報供給システムの動作を説明するための処理手順図である。
【図２７】この発明の第３実施例である共有情報供給システムの動作を説明するための処理手順図である。
【符号の説明】
【０１４９】
１      共有情報供給システム（情報供給システム）
２      情報管理センタ
３      放送局システム（第１の情報供給装置）
４      受信端末群
４ａ      携帯電話機（情報受給端末、第１の情報受給端末、第２の情報受給端末）
４ｂ      放送受信装置（情報受給端末、第１の情報受給端末、第２の情報受給端末）
４ｃ      放送受信・記録装置（情報受給端末、第１の情報受給端末、第２の情報受給端末）
４ｄ      パーソナルコンピュータ（情報受給端末、第１の情報受給端末、第２の情報受給端末）
５      認証システム（本人認証手段、認証情報記憶手段）
６      課金管理システム
７      ネットワーク（第２の情報伝達経路）
１１      サービス受付サーバ（受付処理手段、デフォルト情報記憶手段）
１２      ユーザ情報管理サーバ（判定規則生成管理手段、判定規則記憶手段、利用者情報記憶手段）
１３      サービス情報管理システム（第２の情報供給装置）
１６，２１      制御部
１７，２２    ，  記憶部
３１      提供情報管理サーバ（供給可否判定手段）
３２ａ，３２ｂ，…        サービス情報蓄積サーバ（供給情報記憶手段）
【図１】
2006228071.tif 000003
【図２】
2006228071.tif 000004
【図３】
2006228071.tif 000005
【図４】
2006228071.tif 000006
【図５】
2006228071.tif 000007
【図６】
2006228071.tif 000008
【図７】
2006228071.tif 000009
【図８】
2006228071.tif 000010
【図９】
2006228071.tif 000011
【図１０】
2006228071.tif 000012
【図１１】
2006228071.tif 000013
【図１２】
2006228071.tif 000014
【図１３】
2006228071.tif 000015
【図１４】
2006228071.tif 000016
【図１５】
2006228071.tif 000017
【図１６】
2006228071.tif 000018
【図１７】
2006228071.tif 000019
【図１８】
2006228071.tif 000020
【図１９】
2006228071.tif 000021
【図２０】
2006228071.tif 000022
【図２１】
2006228071.tif 000023
【図２２】
2006228071.tif 000024
【図２３】
2006228071.tif 000025
【図２４】
2006228071.tif 000026
【図２５】
2006228071.tif 000027
【図２６】
2006228071.tif 000028
【図２７】
2006228071.tif 000029